(57)【特許請求の範囲】
【請求項１】
遊技球が流下する遊技領域を有する遊技盤と、前記遊技領域に設けられた始動口およびスルーチャッカと、前記始動口に遊技球が入賞したことを契機に当否に係る抽選を行う特別図柄抽選手段と、この特別図柄抽選手段による抽選で特図当たりに当選した場合に複数種類の大当たり遊技のうちの何れかを提供する大当たり遊技制御手段と、前記スルーチャッカを遊技球が通過したことを契機に当否に係る抽選を行う普通図柄抽選手段と、前記始動口の入口に設けられ、前記普通図柄抽選手段による抽選で普図当たりに当選した場合に開閉して、遊技球の前記始動口への入賞を容易にする電動入賞装置と、前記特別図柄抽選手段の抽選結果に基づいて所定の演出を表示する演出表示装置と、この演出表示装置の表示制御を行う演出表示制御手段とを備え、
特別図柄に係る遊技状態として、前記特別図柄抽選手段による前記特図当たりの当選確率が通常の特図通常遊技状態と、前記特図通常遊技状態より前記特図当たりの当選確率が高い確率変動状態とが用意されると共に、普通図柄に係る遊技状態として、前記普通図柄抽選手段による前記普図当たりの当選確率が通常の普図通常遊技状態と、前記普図通常遊技状態より前記普図当たりの当選確率が高い時短遊技状態とが用意され、
前記特別図柄に係る遊技状態および前記普通図柄に係る遊技状態を設定する遊技状態設定手段を有し、
前記演出表示制御手段は、前記大当たり遊技終了後に前記遊技状態設定手段に基づいて設定される遊技状態を遊技者が識別困難な態様で前記演出表示装置に表示するように構成したパチンコ機において、
前記複数種類の大当たり遊技には、前記大当たり遊技における遊技者の獲得可能な賞球数が所定数の第１大当たりグループまたは前記第１大当たりグループよりも前記賞球数が多い第２大当たりグループの何れかに属するものが含まれており、
前記第１大当たりグループには、前記大当たり遊技後の特別図柄に係る遊技状態が前記特図通常遊技状態に設定されると共に、前記大当たり遊技後に前記時短遊技状態での遊技である時短遊技がＮａ回（但し、Ｎａは自然数）行われる第１大当たり遊技と、前記大当たり遊技後の特別図柄に係る遊技状態が前記確率変動状態に設定されると共に、前記大当たり遊技後に前記時短遊技がＮｂ回（但し、Ｎｂ＞Ｎａを満たす自然数）行われる第２大当たり遊技と、が属しており、
前記第２大当たりグループには、前記大当たり遊技後に前記時短遊技が前記Ｎｂ回行われる大当たり遊技は属しているものの、前記時短遊技が前記Ｎａ回行われる大当たり遊技は属しておらず、
前記大当たり遊技制御手段が前記第２大当たり遊技を提供する確率は前記第１大当たり遊技を提供する確率よりも高くなっており、
前記遊技状態設定手段は、前記大当たり遊技制御手段によって提供された前記大当たり遊技の種類に応じて、前記大当たり遊技終了後の前記特別図柄に係る遊技状態および前記普通図柄に係る遊技状態を設定する
ことを特徴とするパチンコ機。
【請求項２】
請求項１の記載において、
前記第１大当たりグループには、前記大当たり遊技後の特別図柄に係る遊技状態が前記確率変動状態に設定されると共に、前記大当たり遊技後に前記時短遊技が前記Ｎａ回行われる第３大当たり遊技と、前記大当たり遊技後の特別図柄に係る遊技状態が前記特図通常遊技状態に設定されると共に、前記大当たり遊技後に前記時短遊技が前記Ｎｂ回行われる第４大当たり遊技と、が属しており、
前記大当たり遊技制御手段が前記第１大当たり遊技を提供する確率は前記第４大当たり遊技を提供する確率よりも高く、前記第３大当たり遊技を提供する確率は前記第２大当たり遊技を提供する確率よりも低い
ことを特徴とするパチンコ機。
【発明の詳細な説明】
【技術分野】
【０００１】
本発明は、遊技球を用いて遊技を行うパチンコ機に関し、特に、大当たり後の遊技状態を認識し難くするような演出を行うパチンコ機に関する。
【背景技術】
【０００２】
一般に、パチンコ機には、遊技盤内の遊技領域に特別図柄を表示する特別図柄表示装置、所定の演出を表示する演出表示装置、特別図柄に係る電子抽選の契機となる始動口が設けられており、遊技領域に向けて発射された遊技球が、この始動口に入賞すると特別図柄に係る電子抽選が行われると共に、特別図柄表示装置において特別図柄を変動させた後に停止させるといった態様の表示を行って電子抽選の結果を報知している。
【０００３】
さらに、特別図柄の変動表示と同期をとって、演出表示装置に複数の演出図柄（演出に用いられる図柄のことで、ダミー図柄とも称される）が変動表示されて様々な演出が行われるようになっており、電子抽選の結果が大当たり（特図当たり）である場合には、これらの演出図柄が所定の停止態様（例えば、同一図柄が３つ揃って停止する態様）で停止表示されることで遊技者に大当たりであることが報知される。そして、大当たりとなった場合には、遊技者にとって有利な大当たり遊技が提供される。この大当たり遊技では、アタッカー装置が所定回数だけ開閉して露呈された大入賞口に遊技球が入るので、遊技者は多くの賞球を獲得することができる。
【０００４】
上記した大当たりには、通常当たり、この通常当たりより遊技者に有利な確変当たり、小当たりなどがあり、大当たりの種類に応じて、大当たり遊技後の特別図柄に係る遊技状態が通常状態（特図通常遊技状態）になるか、この通常状態より大当たりとなる確率が高い確率変動状態に移行するかが異なるようになっている。そして、確変当たりに当選した場合には、大当たり後の演出表示装置に、確率変動状態であることを示す演出（例えば、背景色を変えるなど）を行って、遊技者を楽しませている。
【０００５】
また、近年では、特別図柄に係る遊技状態が通常状態であるか確率変動状態であるかを分かり難くしておき、遊技者に現在の遊技状態が確率変動状態であることを期待させるようにしたパチンコ機も登場している。具体的には、大当たり後の演出表示装置に、通常状態と確率変動状態とで同じような演出（例えば、背景色を同じにする）を行うことにより、遊技者が遊技状態を認識することを困難にしている。そのため、遊技者は、確率変動状態であることを期待しながら、しばらく遊技を進めることになる。
【０００６】
なお、演出上では通常状態か確率変動状態かを区別できないが、実際には確率変動状態であるような特定の遊技状態のことを、確率変動状態が潜んでいる様子にちなんで「潜伏確変」と言うことが多いので、本明細書においても、このような特定の遊技状態のことを、適宜、「潜伏確変」と言うことにする。
【０００７】
ところで、この潜伏確変状態になると、せっかく特別図柄に係る遊技状態が確率変動状態になっていたとしても、遊技者は、そのことを判断できないため、確率変動状態であるにもかかわらず大当たりに対する期待感を持続させることができなかった。そして、潜伏確変中における代わり映えのしない演出に退屈して遊技をやめてしまう場合もあった。
【０００８】
このような課題を解決しようとしたパチンコ機の一例として、例えば、特許文献１に記載のものが公知である。この特許文献１に記載のパチンコ機は、複数の演出モードを備えており、所定のタイミングで演出モードの移行抽選を行い、その抽選に従って演出モードを移行させる構成となっている。そして、各演出モードへの移行抽選の確率は、潜伏確変状態と通常状態とで異なるように設定されている。つまり、潜伏確変のときに移行し易い演出モードと、通常状態のときに移行し易い演出モードとが設けられている。よって、遊技者は、移行した演出モードを見て、現在の遊技状態が潜伏確変状態か通常状態かをある程度正確に予測することができる。そして、潜伏確変の可能性が高い演出モードに移行した場合には、遊技者は次の大当たりへの期待感を高めながら遊技を楽しむことができる。
【先行技術文献】
【特許文献】
【０００９】
【特許文献１】特開２０１０−１５８４３０号公報（段落０１６８〜０１７０等）
【発明の概要】
【発明が解決しようとする課題】
【００１０】
しかしながら、次々と新しいパチンコ機が市場に登場する今日では、特許文献１のように、演出モードの移行先（即ち、演出の表示態様）により潜伏確変か否かを示唆するような演出では、もはや遊技者を惹き付けることはできなくなっている。そのため、遊技者を惹き付けることのできるような、魅力的な遊技状態の示唆演出を行うパチンコ機の登場が待ち望まれているのである。
【００１１】
本発明は、上記した実情に鑑みてなされたものであり、その目的は、遊技者を惹き付けることができるような、魅力的な遊技状態の示唆演出を行うパチンコ機を提供することにある。
【課題を解決するための手段】
【００１２】
上記目的を達成するため、本発明は、遊技球が流下する遊技領域を有する遊技盤と、前記遊技領域に設けられた始動口およびスルーチャッカと、前記始動口に遊技球が入賞したことを契機に当否に係る抽選を行う特別図柄抽選手段と、この特別図柄抽選手段による抽選で特図当たりに当選した場合に複数種類の大当たり遊技のうちの何れかを提供する大当たり遊技制御手段と、前記スルーチャッカを遊技球が通過したことを契機に当否に係る抽選を行う普通図柄抽選手段と、前記始動口の入口に設けられ、前記普通図柄抽選手段による抽選で普図当たりに当選した場合に開閉して、遊技球の前記始動口への入賞を容易にする電動入賞装置と、前記特別図柄抽選手段の抽選結果に基づいて所定の演出を表示する演出表示装置と、この演出表示装置の表示制御を行う演出表示制御手段とを備え、特別図柄に係る遊技状態として、前記特別図柄抽選手段による前記特図当たりの当選確率が通常の特図通常遊技状態と、前記特図通常遊技状態より前記特図当たりの当選確率が高い確率変動状態とが用意されると共に、普通図柄に係る遊技状態として、前記普通図柄抽選手段による前記普図当たりの当選確率が通常の普図通常遊技状態と、前記普図通常遊技状態より前記普図当たりの当選確率が高い時短遊技状態とが用意され、前記特別図柄に係る遊技状態および前記普通図柄に係る遊技状態を設定する遊技状態設定手段を有し、前記演出表示制御手段は、前記大当たり遊技終了後に前記遊技状態設定手段に基づいて設定される遊技状態を遊技者が識別困難な態様で前記演出表示装置に表示するように構成したパチンコ機において、前記複数種類の大当たり遊技には、前記大当たり遊技における遊技者の獲得可能な賞球数が所定数の第１大当たりグループまたは前記第１大当たりグループよりも前記賞球数が多い第２大当たりグループの何れかに属するものが含まれており、前記第１大当たりグループには、前記大当たり遊技後の特別図柄に係る遊技状態が前記特図通常遊技状態に設定されると共に、前記大当たり遊技後に前記時短遊技状態での遊技である時短遊技がＮａ回（但し、Ｎａは自然数）行われる第１大当たり遊技と、前記大当たり遊技後の特別図柄に係る遊技状態が前記確率変動状態に設定されると共に、前記大当たり遊技後に前記時短遊技がＮｂ回（但し、Ｎｂ＞Ｎａを満たす自然数）行われる第２大当たり遊技と、が属しており、前記第２大当たりグループには、前記大当たり遊技後に前記時短遊技が前記Ｎｂ回行われる大当たり遊技は属しているものの、前記時短遊技が前記Ｎａ回行われる大当たり遊技は属しておらず、前記大当たり遊技制御手段が前記第２大当たり遊技を提供する確率は前記第１大当たり遊技を提供する確率よりも高くなっており、前記遊技状態設定手段は、前記大当たり遊技制御手段によって提供された前記大当たり遊技の種類に応じて、前記大当たり遊技終了後の前記特別図柄に係る遊技状態および前記普通図柄に係る遊技状態を設定することを特徴とするものである。
また、上記構成において、前記第１大当たりグループには、前記大当たり遊技後の特別図柄に係る遊技状態が前記確率変動状態に設定されると共に、前記大当たり遊技後に前記時短遊技が前記Ｎａ回行われる第３大当たり遊技と、前記大当たり遊技後の特別図柄に係る遊技状態が前記特図通常遊技状態に設定されると共に、前記大当たり遊技後に前記時短遊技が前記Ｎｂ回行われる第４大当たり遊技と、が属しており、前記大当たり遊技制御手段が前記第１大当たり遊技を提供する確率は前記第４大当たり遊技を提供する確率よりも高く、前記第３大当たり遊技を提供する確率は前記第２大当たり遊技を提供する確率よりも低いことを特徴とする。
【００１４】
本発明によると、獲得可能な賞球数が所定数（例えば、大当たりラウンド数Ｒａ回）である第１大当たりグループのうち、第１大当たり遊技を提供する確率は第４大当たり遊技を提供する確率よりも高く、第３大当たり遊技を提供する確率は第２大当たり遊技を提供する確率よりも低いため、遊技者は、実行される時短回数が何回であるかによって、大当たり遊技後の特別図柄に係る遊技状態が何であるかを予測することができる。したがって、本発明によれば遊技者の期待度を高める示唆に係る演出を提供することができる。
【図面の簡単な説明】
【００２５】
【図１】本発明の実施の形態例に係るパチンコ機の外観斜視図である。
【図２】図１に示すパチンコ機のガラス扉を開けた状態の外観斜視図である。
【図３】図１に示すパチンコ機の背面図である。
【図４】図１に示すパチンコ機の電気的構成を示すブロック図である。
【図５】図４に示す特別図柄抽選処理部の詳細を示すブロック図である。
【図６】図４に示す特別図柄種類決定処理部の詳細を示すブロック図である。
【図７】図６に示す第１特別図柄種類決定テーブルの詳細を示す図である。
【図８】図６に示す第２特別図柄種類決定テーブルの詳細を示す図である。
【図９】図７に示す特別図柄の種類に対応する大当たり種別、実質ラウンド数、および電サポ回数を示す図である。
【図１０】図８に示す特別図柄の種類に対応する大当たり種別、実質ラウンド数、および電サポ回数を示す図である。
【図１１】特別図柄の種類に対応する大当たり遊技の各ラウンド遊技に対するアタッカー装置の開閉パターンを示す図である。
【図１２】図１１の特定のラウンド遊技におけるアタッカー装置の開閉パターンの詳細を示す図である。
【図１３】図４に示す特別図柄変動パターンコマンド決定部の詳細を示すブロック図である。
【図１４】図１３に示す特別図柄共通変動パターンコマンドテーブルの詳細を示す図である。
【図１５】図１４に示す変動パターンテーブルＡの詳細を示す図である。
【図１６】図１４に示す変動パターンテーブルＡ〜Ｇの中から参照する変動パターンテーブルを、特別図柄の種類と遊技回数とから定めた図である。
【図１７】図４に示す普通図柄抽選処理部の詳細を示すブロック図である。
【図１８】図４に示す普通図柄変動パターンコマンド決定部の詳細を示すブロック図である。
【図１９】図１８に示す普通図柄変動パターンコマンドテーブルの詳細を示す図である。
【図２０】図４に示す演出制御処理部の詳細を示すブロック図である。
【図２１】図２０に示す演出態様記憶部に記憶された演出テーブルＡの詳細を示す図である。
【図２２】図１に示すパチンコ機の遊技の処理手順を示すフローチャートである。
【発明を実施するための形態】
【００２６】
以下、発明の実施の形態例を、図面を参照して説明する。図１及び図２に示すように、本発明の実施の形態例に係るパチンコ機Ｐは、遊技場の島設備に設置される縦長方形状の機枠１と、機枠１に扉状に開閉自在に取り付けられた本体枠２と、本体枠２の内側に収容された遊技盤３と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられたハンドル７等を具備している。さらに、ガラス扉４の上部にはスピーカ２０が左右に１個ずつ取り付けられており、遊技に関する様々な効果音を発している。
【００２７】
また、図３に示すように、このパチンコ機Ｐは、背面側に、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等を備えている。続いて、図１〜図４を参照して、本実施形態に係るパチンコ機Ｐの構成を詳しく説明していくことにする。
【００２８】
遊技盤３は、その盤面に遊技領域３１を有しており、本体枠２に装着した後、ガラス板１０から遊技領域３１を観察することができる。遊技領域３１は、遊技球を滑走させるガイドレール３２と遊技球規制レール３３によって略円形状となるように区画形成されており、発射装置９によって打ち出された遊技球はこの遊技領域３１内を流下する。また、遊技領域３１内には、特別図柄表示装置１７と、演出表示装置３４と、スルーチャッカ２１と、普通図柄表示装置２２と、電動チューリップ（電動入賞装置）４９と、ステージ３６と、第１始動入賞口（始動口）３７ａおよび第２始動入賞口（始動口）３７ｂと、一般入賞口３８と、アウト口３９と、遊技釘（図示せず）と、風車（図示せず）と、アタッカー装置４１等が設けられている。なお、第１始動入賞口３７ａと第２始動入賞口３７ｂとは上下方向に間隔を空けて設けられている。
【００２９】
演出表示装置３４は、遊技盤３の略中央部に設けられ、第１始動入賞口３７ａおよび第２始動入賞口３７ｂに遊技球が入賞することを契機に行われた特別図柄に係る電子抽選の結果に基づいて所定の演出態様を表示するものであって、本実施形態では液晶表示装置が用いられている。この演出表示装置３４には、画面全体に背景画像が表示されるほか、所定の演出態様の一部として、特別図柄表示装置１７に変動表示される特別図柄と同期をとってダミー図柄（演出図柄）が変動表示されるようになっている。なお、この演出表示装置３４には、保留球乱数が保留球乱数記憶部（メモリ）１１５ａ、１１５ｂに記憶された場合に保留表示（保留球乱数が記憶された旨の表示）を行うための表示領域が区画形成されている。つまり、この表示領域の部分が保留球表示装置３４ａとなっているのである。
【００３０】
また、特別図柄表示装置１７は、第１始動入賞口３７ａおよび第２始動入賞口３７ｂに遊技球が入賞することを契機に行われた特別図柄に係る電子抽選の結果を表示するためのものであって、より具体的には、抽選結果を、特別図柄（数字や絵柄）を変動させた後に停止させるといった態様で表示するものである。この特別図柄表示装置１７は、本実施形態では７セグメント表示器が用いられており、演出表示装置３４を見ている遊技者の視界に同時に入らないように遊技盤３の右下部分に離れて設けられている。そして、７セグメント表示器を点滅表示させることにより特別図柄が変動し、その点滅が停止して点灯表示に変わることで特別図柄の変動が停止する。この点滅中の時間が、特別図柄の変動時間である。
【００３１】
なお、本実施形態では、第１始動入賞口３７ａに遊技球が入賞したことに基づく遊技よりも、第２始動入賞口３７ｂに遊技球が入賞したことに基づく遊技を優先して実行するようになっているので、第１始動入賞口３７ａと第２始動入賞口３７ｂの両方の抽選結果を同時に表示することはない。よって、２つの始動入賞口３７ａ、３７ｂに遊技球が入賞したことに基づく抽選の結果を１つの特別図柄表示装置１７で表示している。
【００３２】
スルーチャッカ２１は、遊技球が通過可能なゲート構造を成しており、その内部には遊技球が通過したことを検知する磁気センサタイプのスルーチャッカ検知センサ４６が内蔵されている。また、このスルーチャッカ２１を遊技球が通過したことを契機に行われる普通図柄に係る電子抽選の結果を表示するための普通図柄表示装置２２が、特別図柄表示装置１７の隣に設けられている。この普通図柄表示装置２２は、本実施形態では、二つのＬＥＤランプで構成されており、普図当たりのときに一方のＬＥＤランプが点灯し、ハズレのときには他方のＬＥＤランプが点灯するようになっている。なお、２つのＬＥＤランプを交互に点滅表示させることにより普通図柄が変動し、その点滅が停止して点灯表示に変わることで普通図柄の変動が停止する。この点滅中の時間が、普通図柄の変動時間である。
【００３３】
電動チューリップ４９は、第２始動入賞口３７ｂの入口に設けられ、遊技盤３の面に直交する軸を中心に回動する一対の羽根部材を備えており、ソレノイドに通電がなされると一対の羽根部材が互いに離れる方向に回動して、第２始動入賞口３７ｂの入口を拡大するようになっている。そして、電動チューリップ４９が開放されない限り、第２始動入賞口３７ｂに遊技球が入賞することはない。また、ステージ３６は、演出表示装置３４の下方に配置されており、遊技球が転動しながら一時的に滞在する構造物である。このステージ３６の中央には溝が形成されており、この溝の真下の位置には第１始動入賞口３７ａが配されている。そのため、溝から落下した遊技球は、高い確率で第１始動入賞口３７ａへと導かれる。
【００３４】
アタッカー装置４１は、第１始動入賞口３７ａおよび第２始動入賞口３７ｂに遊技球が入賞することを契機に行われる特別図柄に係る電子抽選の結果、特図当たりとなって大当たり遊技に移行した場合に所定回数開放される装置である。このアタッカー装置４１は、水平な軸を中心として前後方向に開閉する板状の蓋部材を備えており、図示しないソレノイドを駆動することにより蓋部材が水平軸回りに回動する構成となっている。そして、蓋部材が開いた状態では遊技領域３１の下部に設けられた大入賞口４２が露呈され、その大入賞口４２に遊技球を入賞させることができる構成となっている。
【００３５】
つまり、アタッカー装置４１は、常態では蓋部材が大入賞口４２を閉じているため、大入賞口４２に遊技球が入賞することはないが、上記したように、大当たり遊技に移行すると、蓋部材が開放されて大入賞口４２が露呈されるため、遊技球を大入賞口４２内に入賞させることが可能となるのである。そして、大入賞口４２に遊技球が入賞すると、所定個数の遊技球が賞球として遊技者に払い出される。即ち、遊技者は、大入賞口４２に遊技球を入賞させることによって出玉を獲得できるのである。また、大入賞口４２は、横長な長方形の開口であり、アタッカー装置４１の蓋部材は、この大入賞口４２の形状とほぼ同じ形状を成している。
【００３６】
なお、本実施形態では、アタッカー装置４１の開放回数は１４ラウンド（Ｒ）に統一されているが、遊技者が賞球を獲得できるラウンド、所謂、出玉有りのラウンドの回数が特別図柄の種類に異なっている。これについては、後ほど詳しく説明する。
【００３７】
また、一般入賞口３８に遊技球が入賞すると、所定個数の遊技球が賞球として遊技者に払い出される。そして、第１始動入賞口３７ａ、第２始動入賞口３７ｂ、一般入賞口３８、およびアタッカー装置４１に入らなかった遊技球は、アウト口３９から回収される。なお、第１始動入賞口３７ａ、第２始動入賞口３７ｂ、一般入賞口３８、大入賞口４２の内部にはそれぞれ遊技球の通過を検知するためのセンサ４３ａ、４３ｂ、４４、４５（図４参照）が設けられている。
【００３８】
前面ボード６には遊技球を収容するとともに、外部に排出可能な受皿５が取り付けられている。この受皿５は、遊技者が投入した遊技球を収容するだけでなく、賞球払出装置１４から賞球として払い出された遊技球も収容可能となっている。また、遊技球を遊技領域３１に向けて発射するための発射装置９が本体枠２の下部に取り付けられており、受皿５に収容されている遊技球がこの発射装置９に１個ずつ供給される。そして、前面ボード６の右下に取り付けられたハンドル７を回動させると、その回動量に応じた発射強度で発射装置９が遊技球を遊技領域３１へと発射することができるようになっている。また、図１に示すように、受皿５の側部には、遊技者が押下操作するタッチボタン６０が設けられている。
【００３９】
主制御処理部１１は、遊技盤３の裏面に支持部材等を介して設けられている。この主制御装置１１は、ＣＰＵ（Central Processing Unit）と、予め定められた制御プログラムを格納するＲＯＭ（Read Only Memory）と、生成された処理情報の一時記憶及び記憶した情報の削除を行うＲＡＭ（Random Access Memory）等とにより構成されている。このＣＰＵがＲＯＭに格納された各種プログラムやデータを読み込んで実行することにより、遊技に関する主要な処理が行われる。
【００４０】
具体的には、図４に示すように、主制御処理部１１は、始動入賞口３７ａ、３７ｂに遊技球が入賞したことを契機に特別図柄の当否に係る抽選を行う特別図柄抽選処理部（特別図柄抽選手段）１１０と、この特別図柄抽選処理部１１０が判定した抽選結果に応じて特別図柄の種類を抽選で決定する特別図柄種類決定処理部（特別図柄種類決定手段）１２０と、特別図柄の変動時間に関するコマンドである特別図柄変動パターンコマンドを決定するための特別図柄変動パターン（ＰＴ）コマンド決定部１３０と、所定条件が成立したことに基づいて、特別図柄に係る遊技状態および普通図柄に係る遊技状態をそれぞれ設定する遊技状態設定部（遊技状態設定手段）１４０と、特別図柄抽選処理部１１０による抽選結果の判定が特図当たりとなった場合に、特別図柄種類決定処理部１２０で決定した特別図柄の種類に応じてアタッカー装置４１（のソレノイド）を作動させて大当たり遊技に移行する大当たり遊技制御部（大当たり遊技制御手段）１６０とを備えている。
【００４１】
さらに、主制御処理部１１は、スルーチャッカ２１を遊技球が通過したことを契機に普通図柄の当否に係る抽選を行う普通図柄抽選処理部（普通図柄抽選手段）１７０と、普通図柄の変動時間に関するコマンドである普通図柄変動パターンコマンドを決定するための普通図柄変動パターン（ＰＴ）コマンド決定部１９０と、電動チューリップ４９の作動を制御する電動チューリップ作動制御部１８０とを備えている。
【００４２】
特別図柄抽選処理部１１０は、図５に示すように、周期的（例えば２ミリ秒毎）に入力される割り込み信号に基づいてループカウンタの値を所定の範囲で１ずつ更新させることによりソフトウェア乱数を生成する特別図柄当否判定用乱数発生部１１１と、第１始動入賞口３７ａに遊技球が入賞したことを契機に、特別図柄に係る抽選を行って当否を判定するための第１特別図柄当否抽選部１１９ａと、第２始動入賞口３７ｂに遊技球が入賞したことを契機に、特別図柄に係る抽選を行って当否を判定するための第２特別図柄当否抽選部１１９ｂとを備えて構成されている。即ち、本実施形態において、特別図柄に係る抽選手段には、第１始動入賞口３７ａに入賞したことを契機に行うものと、第２始動入賞口３７ｂに入賞したことを契機に行うものとの２つのものがある。
【００４３】
第１特別図柄当否抽選部１１９ａは、第１始動入賞口３７ａに遊技球が入賞したことを契機に（始動入賞口検知センサ４３ａからの検知信号が主制御処理部１１に入力されたタイミングで）、特別図柄当否判定用乱数発生部１１１で発生した特別図柄当否判定用の乱数を１つ取得（ラッチ）する第１特別図柄当否判定用乱数取得部１１２ａと、この第１特別図柄当否判定用乱数取得部１１２ａが取得した乱数が特図当たりであるか否かを、第１特別図柄高確率判定テーブル１１６ａまたは第１特別図柄低確率判定テーブル１１７ａを参照して決定する第１特別図柄当否判定部１１３ａと、第１特別図柄当否判定用乱数取得部１１２ａが乱数を取得したときに特別図柄が変動中である場合に、この取得した乱数を特別図柄に係る保留球乱数として最大４個まで（別言すれば、所定個数である４個の上限まで）記憶する第１特別図柄用保留球乱数記憶部１１５ａとを備えている。
【００４４】
ここで、第１特別図柄高確率判定テーブル１１６ａは、第１特別図柄低確率判定テーブル１１７ａよりも特図当たりとなる確率が高くなっており、より詳しく言うと、第１特別図柄高確率判定テーブル１１６ａは、特図当たりの当選確率が１／３０、第１特別図柄低確率判定テーブル１１７ａは、特図当たりの当選確率が１／３００に設定されている。つまり、第１特別図柄高確率判定テーブル１１６ａの方が、第１特別図柄低確率判定テーブル１１７ａに比べて１０倍特図当たりに当選する確率が高くなるように設定されている。
【００４５】
第２特別図柄当否抽選部１１９ｂも第１特別図柄当否抽選部１１９ａと同様に、第２始動入賞口３７ｂに遊技球が入賞したことを契機に（始動入賞口検知センサ４３ｂからの検知信号が主制御処理部１１に入力されたタイミングで）、特別図柄当否判定用乱数発生部１１１で発生した特別図柄当否判定用の乱数を１つ取得（ラッチ）する第２特別図柄当否判定用乱数取得部１１２ｂと、この第２特別図柄当否判定用乱数取得部１１２ｂが取得した乱数が特図当たりであるか否かを、第２特別図柄高確率判定テーブル１１６ｂまたは第２特別図柄低確率判定テーブル１１７ｂを参照して決定する第２特別図柄当否判定部１１３ｂと、第２特別図柄当否判定用乱数取得部１１２ｂが乱数を取得したときに特別図柄が変動中である場合に、この取得した乱数を特別図柄に係る保留球乱数として最大４個まで（別言すれば、所定個数である４個の上限まで）記憶する第２特別図柄用保留球乱数記憶部１１５ｂとを備えている。
【００４６】
ここで、第２特別図柄高確率判定テーブル１１６ｂは、第２特別図柄低確率判定テーブル１１７ｂよりも特図当たりとなる確率が高くなっており、より詳しく言うと、第２特別図柄高確率判定テーブル１１６ｂは、特図当たりの当選確率が１／３０、第２特別図柄低確率判定テーブル１１７ｂは、特図当たりの当選確率が１／３００に設定されている。つまり、第２特別図柄高確率判定テーブル１１６ｂの方が、第２特別図柄低確率判定テーブル１１７ｂに比べて１０倍特図当たりに当選する確率が高くなるように設定されている。
【００４７】
なお、第１特別図柄当否抽選部１１９ａが第１特別図柄低確率判定テーブル１１７ａを参照して特別図柄の当否に係る抽選を行い、第２特別図柄当否抽選部１１９ｂが第２特別図柄低確率判定テーブル１１７ｂを参照して特別図柄の当否に係る抽選を行う遊技状態が、本発明の「特図通常遊技状態」に相当し、第１特別図柄当否抽選部１１９ａが第１特別図柄高確率判定テーブル１１６ａを参照して特別図柄の当否に係る抽選を行い、第２特別図柄当否抽選部１１９ｂが第２特別図柄高確率判定テーブル１１６ｂを参照して特別図柄の当否に係る抽選を行う遊技状態が、本発明の「確率変動状態」に相当する。
【００４８】
なお、これ以降の説明において、便宜上、第１特別図柄当否抽選部１１９ａが第１特別図柄低確率判定テーブル１１７ａを参照して特別図柄の当否に係る抽選を行い、第２特別図柄当否抽選部１１９ｂが第２特別図柄低確率判定テーブル１１７ｂを参照して特別図柄の当否に係る抽選を行う遊技状態のことを、単に「特図低確」といい、第１特別図柄当否抽選部１１９ａが第１特別図柄高確率判定テーブル１１６ａを参照して特別図柄の当否に係る抽選を行い、第２特別図柄当否抽選部１１９ｂが第２特別図柄高確率判定テーブル１１６ｂを参照して特別図柄の当否に係る抽選を行う遊技状態のことを、単に「特図高確」ということにする。
【００４９】
また、本実施形態では、第１特別図柄用保留球乱数記憶部１１５ａと第２特別図柄用保留球乱数記憶部１１５ｂの両方に保留球乱数が記憶されている場合には、第２特別図柄用保留球乱数記憶部１１５ｂに記憶されている保留球乱数の方が優先して読み出されて当たりであるか否かの判定が行なわれ、その判定に従って遊技が進行するような制御がなされている。つまり、特別図柄抽選処理部１１０によって、第２始動入賞口３７ｂに遊技球が入賞したことに基づく遊技が、第１始動入賞口３７ａに遊技球が入賞したことに基づく遊技よりも優先するような処理が行なわれているのである。
【００５０】
次に、特別図柄種類決定処理部１２０について説明する。上述した特別図柄抽選処理部１１０が特図当たりに当選しているか否かを決定するものであるのに対して、特別図柄種類決定処理部１２０は、特別図柄の種類を決定するためのものである。つまり、本実施形態では、特別図柄に関する大当たり／ハズレの決定は特別図柄抽選処理部１１０によって行われるが、大当たりの内容（種別、実質ラウンド数、電サポ回数）は特別図柄種類決定処理部１２０によって決定される構成となっている。なお、上記した大当たりの内容についての詳細は後述する。
【００５１】
特別図柄種類決定処理部１２０は、図６に示すように、周期的（例えば２ミリ秒毎）に入力される割り込み信号に基づいてループカウンタの値を所定の範囲（本実施形態例では０〜１９９までの範囲）で１ずつ更新させることによりソフトウェア乱数を生成する特別図柄種類決定用乱数発生部１２１と、第１始動入賞口３７ａに遊技球が入賞したことを契機に、抽選により特別図柄の種類を決定するための第１特別図柄種類抽選部１２９ａと、第２始動入賞口３７ｂに遊技球が入賞したことを契機に、抽選により特別図柄の種類を決定するための第２特別図柄種類抽選部１２９ｂとを備えて構成されている。即ち、本実施形態において、特別図柄の種類の決定は、第１始動入賞口３７ａに入賞したことを契機に行うものと、第２始動入賞口３７ｂに入賞したことを契機に行うものとの２つがある。
【００５２】
第１特別図柄種類抽選部１２９ａは、第１始動入賞口３７ａに遊技球が入賞したことを契機に（始動入賞口検知センサ４３ａからの検知信号が主制御処理部１１に入力されたタイミングで）、特別図柄種類決定用乱数発生部１２１で発生した特別図柄種類決定用の乱数を１つ取得（ラッチ）する第１特別図柄種類決定用乱数取得部１２２ａと、この第１特別図柄種類決定用乱数取得部１２２ａが取得した乱数から、第１特別図柄種類決定テーブル１２５ａを参照して特別図柄の種類を決定する第１特別図柄種類決定部１２３ａと、第１特別図柄種類決定用乱数取得部１２２ａが乱数を取得したときに特別図柄が変動中である場合に、この取得した乱数を最大４個まで（別言すれば、所定個数である４個の上限まで）記憶する第１特別図柄種類決定用乱数記憶部１２４ａとを備えている。
【００５３】
第１特別図柄種類決定テーブル１２５ａは、図７に示すように、特別図柄種類決定用の乱数と特別図柄の種類とが予め対応付けられたテーブル構成を成している。具体的には、１４Ｒ特定時短有図柄１〜２２までの２２種類と、１４Ｒ通常時短有図柄１〜９までの９種類との合計３１種類の特別図柄が第１特別図柄種類決定テーブル１２５ａに格納されており、これら３１種類の特別図柄のうち一部のものを除いた特別図柄に特別図柄種類決定用乱数０〜１９９までの値が対応付けられている。そして、各特別図柄に割り当てる特別図柄種類決定用乱数値の範囲が異なるテーブル構成となっているから、特別図柄のそれぞれが第１特別図柄種類決定部１２３ａに選択される確率は異なるものとなる。
【００５４】
より詳細に説明すると、第１特別図柄種類決定テーブル１２５ａに格納された３１種類の特別図柄のうち、特別図柄種類決定用乱数の値が０〜１４までのものに対して「１４Ｒ特定時短有図柄１」が対応付けられており、当該乱数値が１５〜１９までのものに対して「１４Ｒ特定時短有図柄２」が、当該乱数値が２０〜３３のものに対して「１４Ｒ特定時短有図柄１０」が、当該乱数値が３４〜５１までのものに対して「１４Ｒ特定時短有図柄１１」が、・・・（途中、説明は省略する）・・・、当該乱数値が１８０〜１８８までのものに対して「１４Ｒ通常時短有図柄８」が、当該乱数値が１８９〜１９９までのものに対して「１４Ｒ通常時短有図柄９」が、それぞれ対応付けられている。
【００５５】
この図７から明らかなように、「１４Ｒ特定時短有図柄１」に対応付けられた乱数の個数は、全体で２００個の特別図柄種類決定用乱数のうち１５個であるから、「１４Ｒ特定時短有図柄１」が選択される確率は、１５／２００ｘ１００＝７．５％である。その他の特別図柄の選択確率についても同様にして求められ、その値は図７に記載された通りである。なお、図７において、例えば、「１４Ｒ特定時短有図柄３」などのように特別図柄種類決定用乱数の値が割り当てられていない特別図柄については、第１特別図柄種類決定テーブル１２５ａを参照した場合に選択されることがない。
【００５６】
また、第２特別図柄種類抽選部１２９ｂも第１特別図柄種類抽選部１２９ａと同様に、第２始動入賞口３７ｂに遊技球が入賞したことを契機に（始動入賞口検知センサ４３ｂからの検知信号が主制御処理部１１に入力されたタイミングで）、特別図柄種類決定用乱数発生部１２１で発生した特別図柄種類決定用の乱数を１つ取得（ラッチ）する第２特別図柄種類決定用乱数取得部１２２ｂと、この第２特別図柄種類決定用乱数取得部１２２ｂが取得した乱数から、第２特別図柄種類決定テーブル１２５ｂを参照して特別図柄の種類を決定する第２特別図柄種類決定部１２３ｂと、第２特別図柄種類決定用乱数取得部１２２ｂが乱数を取得したときに特別図柄が変動中である場合に、この取得した乱数を最大４個まで（別言すれば、所定個数である４個の上限まで）記憶する第２特別図柄種類決定用乱数記憶部１２４ｂとを備えている。
【００５７】
第２特別図柄種類決定テーブル１２５ｂは、図８に示すように、特別図柄種類決定用の乱数と特別図柄の種類とが予め対応付けられたテーブル構成を成している。この第２特別図柄種類決定テーブル１２５ｂと第１特別図柄種類決定テーブル１２５ａと比較すると、特別図柄の種類は同じであるものの、それぞれの特別図柄に割り当てられた特別図柄種類決定用乱数値の範囲が異なっている。そのため、例えば、「１４Ｒ特定時短有図柄１」は、第１特別図柄種類決定テーブル１２５ａを参照した場合には、選択確率が７．５％であるが、第２特別図柄種類決定テーブル１２５ｂを参照した場合には、選択確率が４．０％となる。また、「１４Ｒ特定時短有図柄３」は、第１特別図柄種類決定テーブル１２５ａを参照した場合には、選択されることはないが、第２特別図柄種類決定テーブル１２５ｂを参照した場合には、６６．０％の確率で選択されるようになっている。
【００５８】
次に、普通図柄抽選処理部１７０について説明する。この普通図柄抽選処理部１７０は、図１７に示すように、乱数を発生させる普通図柄用当否判定用乱数発生部１７１と、スルーチャッカ２１を遊技球が通過したことを契機に普通図柄に係る抽選を行って当否を判定するための普通図柄当否抽選部１７７とを備えて構成されている。普通図柄当否判定用乱数発生部１７１は、特別図柄当否判定用乱数発生部１１１より発生する乱数は少ないが、乱数を発生させるための構成は同じである。また、普通図柄当否抽選部１７７は、スルーチャッカ２１を遊技球が通過したことを契機に（スルーチャッカ検知センサ４６からの検知信号が主制御処理部１１に入力されたタイミングで）、普通図柄当否判定用乱数発生部１７１で発生した普通図柄当否判定用の乱数を１つ取得（ラッチ）する普通図柄当否判定用乱数取得部１７２と、この普通図柄当否判定用乱数取得部１７２が取得した乱数が普図当たりであるか否かを、判定テーブルを参照して決定する普通図柄当否判定部１７３と、普通図柄当否判定用乱数取得部１７２が乱数を取得したときに普通図柄が変動中である場合に、この取得した乱数を上限４個まで普通図柄に係る保留球乱数として記憶する普通図柄用保留球乱数記憶部１７４と、判定テーブルとして、普図当たりに当選する確率が低い普通図柄低確率判定テーブル１７６と、この普通図柄低確率判定テーブル１７６よりも普図当たりに当選する確率が高い普通図柄高確率判定テーブル１７５とを備えている。
【００５９】
ここで、普通図柄高確率判定テーブル１７５は、普通図柄低確率判定テーブル１７６よりも普図当たりとなる確率が高くなっており、より詳しく言うと、普通図柄高確率判定テーブル１７５は、普図当たりの当選確率が１／１．１、普通図柄低確率判定テーブル１７６は、普図当たりの当選確率が１／１２０に設定されている。つまり、普通図柄高確率判定テーブル１７５の方が、普通図柄低確率判定テーブル１７６に比べて格段に普図当たりに当選する確率が高くなるように設定されている。そして、普通図柄高確率判定テーブル１７５を参照して抽選が行われると、殆どの場合、普図当たりに当選することになる。
【００６０】
なお、普通図柄当否抽選部１７７が普通図柄低確率判定テーブル１７６を参照して普通図柄に係る抽選を行う遊技状態が、本発明の「普図通常遊技状態」に相当し、普通図柄当否抽選部１７７が普通図柄高確率判定テーブル１７５を参照して普通図柄に係る抽選を行う遊技状態が、本発明の「時短遊技状態」に相当する。
【００６１】
なお、これ以降の説明において、便宜上、普通図柄当否抽選部１７７が普通図柄低確率判定テーブル１７６を参照して普通図柄に係る抽選を行う遊技状態のことを、単に「普図低確」といい、普通図柄当否抽選部１７７が普通図柄高確率判定テーブル１７５を参照して普通図柄に係る抽選を行う遊技状態のことを、単に「普図時短」ということにする。
【００６２】
また、電動チューリップ作動制御部１８０は、普通図柄抽選処理部１７０による抽選で普図当たりに当選した旨のコマンドに基づいて、電動チューリップ４９のソレノイドに通電して開閉するよう制御している。この電動チューリップ作動制御部１８０は、普図時短中は、１回の普図当たりに対して、電動チューリップ４９を開放時間２．９秒で２回開放するよう制御し、普図低確中は、１回の普図当たりに対して、電動チューリップ４９を開放時間０．２秒で１回開放するよう制御している。よって、普図時短中は、上述したように、普通図柄抽選処理部１７０による抽選が行われる度に、殆ど普図当たりに当選し、その当選により電動チューリップ４９が２．９秒ｘ２回開放されるため、遊技者は、電動チューリップ４９内に遊技球を入賞させることができる。従って、普図時短中は、遊技球を殆ど減らすことなく遊技を行うことができる。
【００６３】
次に、本実施形態に係るパチンコ機Ｐには、「通常モード」と、「時短モード」と、「内確モード」と、「確変モード」との４つの遊技状態が予め設定されている。「通常モード」は、特図低確および普図低確の遊技状態から成るものである。また、「時短モード」は、特図低確および普図時短の遊技状態から成るものである。また、「内確モード」は、特図高確および普図低確の遊技状態から成るものである。また、「確変モード」は、特図高確および普図時短の遊技状態から成るものである。なお、「内確モード」は、内部的には特図高確であるものの、表面上は、特図高確か特図低確かの区別がつかない遊技状態、即ち、「潜伏確変」である。
【００６４】
本実施形態では、先に述べた特別図柄の種類が決定されると、その特別図柄と上記の各モードとから、大当たり種別、実質ラウンド数、および電サポ回数（時短回数）が決まるようになっている。これについて、図９および図１０を参照しながら、以下、詳しく説明を行っていくことにする。なお、図９は、第１特別図柄種類決定部１２３ａが決定した特別図柄の種類に対応する大当たりパターンを決定するために参照されるものであり、図１０は、第２特別図柄種類決定部１２３ｂが決定した特別図柄の種類に対応する大当たりパターンを決定するために参照されるものである。また、図９，１０の各図のうち、黒塗り背景に白色文字で表示されている特別図柄の種類は、その図において選択されることのない特別図柄の種類であることを示している。つまり、図７，８において、それぞれ選択確率０％となっているものが、図９，１０で黒塗りに白色文字で表示されているのである。
【００６５】
またここで、図９と図１０とでは、内確モードと確変モードの表示位置が逆になっている。そのことを強調する目的で、それら２つのモードの欄を黒塗りに白色文字で表示した。
【００６６】
図９および図１０に示すように、３１種類の特別図柄は、それぞれ、大当たり種別、実質ラウンド数（大当たり遊技種別）、および電サポ回数を規定した大当たりパターンが予め対応付けられている。
ここで、「大当たり種別」とは、大当たり遊技後の特別図柄に係る遊技状態を特図低確とする「通常当たり」と、特図高確とする「確変当たり」との何れにするかを定めたものである。通常当たりの場合には、その後の遊技状態が特図低確となるので、なかなか次の特図当たりに当選しないが、確変当たりの場合、その後の遊技状態が特図高確となるので、直ぐに次の特図当たりに当選する可能性が高い。
【００６７】
また、「実質ラウンド数」とは、大当たり遊技中に出玉有りのラウンド数が何回実行されるか（すなわち、大当たり遊技における遊技者の獲得可能な賞球数）を定めたものである。本実施形態では、詳しくは後述するが、出玉有りのラウンド数が、５ラウンド、８ラウンド、１０ラウンド、１４ラウンドの４種類設けられている。なお、図９，１０において、「Ｒ」はラウンド数の意味である。
【００６８】
また、「電サポ回数」とは、電動チューリップ４９によるサポートを受けながら遊技を行うことができる遊技回数のことであり、より詳しくは、遊技状態が普図時短の状態で、特別図柄抽選処理部１１０による抽選を行うことのできる回数（遊技回数）のことであり、本発明における「時短回数」に相当するものである。なお、本実施形態では、電サポ回数は、１０回（Ｎａ＝１０回）、２０回（Ｎｂ＝２０回）、３０回、および１００００回（Ｎｘ＝１００００回）の４種類が設けられている。
【００６９】
ここで、電サポ１００００回は、その他の回数に比べて非常に大きい値である。そして、本実施形態では、特図低確時の当選確率が１／３００であり、特図高確時の当選確率が１／３０となっているから、１００００回も遊技を行う間には、ほぼ間違いなく特図当たりに当選する。つまり、次回の特図当たりに当選するまでの遊技回数が１００００回を超えることは皆無である。よって、電サポ回数が１００００回付与されるということは、次回の特図当たり当選まで普図時短が継続することと等しいと言えるものである。そして、電サポ回数が１００００回に決定されると、遊技球を殆ど減らすことなく特図当たりが連荘することが確定することになる。なお、大当たり種別が確変当たりであって、電サポ回数が１００００回設定されるパターンのことを、以下、「確変無限時短パターン」と言うことにする。
【００７０】
このように、大当たりパターンは、通常当たりと確変当たりの何れかの大当たり種別と、５Ｒ、８Ｒ、１０Ｒ、１４Ｒの何れかの実質ラウンド数と、１０回、２０回、３０回、１０００００回の何れかの電サポ回数とが規定された内容で構成されているのである。そして、これら各要素の組合せから、大当たりパターンは、２種類（大当たり種別）ｘ４種類（実質ラウンド数）ｘ４種類（電サポ回数）＝３２種類の設定が可能となるが、本実施形態では、３２種類のうち一部を除いた特定のパターンを大当たりパターンとして採用している。なお、以下の説明において、特記しない限り、電サポ回数の値は、遊技状態が通常モードの場合のものであることを、ここで予め断っておく。
【００７１】
これらの大当たりパターンのうち、通常モードにおける大当たりパターンを実質ラウンド数（大当たり遊技における遊技者の獲得可能な賞球数）によってグループ分けすると、実質ラウンド数が最も少ない５回（Ｎａ回）のグループ（第１大当たりグループ）には、「１４Ｒ通常時短有図柄９」に対応付けられていると共に通常当たりと電サポ１０回の内容が規定されたパターンＮｏ．３１と、「１４Ｒ特定時短有図柄２１」に対応付けられていると共に確変当たりと電サポ１０回の内容が規定されたパターンＮｏ．２１と、「１４Ｒ通常時短有図柄８」に対応付けられていると共に通常当たりと電サポ２０回の内容が規定されたパターンＮｏ．３０と、「１４Ｒ特定時短有図柄１９」に対応付けられていると共に確変当たりと電サポ２０回の内容が規定されたパターンＮｏ．１９とが含まれている。なお、大当たりパターンのうち、パターンＮｏ．３１（１４Ｒ通常時短有図柄９）による大当たり遊技（通常当たり、５Ｒ、電サポ回数１０回）が本発明の第１大当たり遊技、パターンＮｏ．１９（１４Ｒ特定時短有図柄１９）による大当たり遊技（確変当たり、５Ｒ、電サポ回数２０回）が本発明の第２大当たり遊技、パターンＮｏ．２１（１４Ｒ特定時短有図柄２１）による大当たり遊技（確変当たり、５Ｒ、電サポ回数１０回）が本発明の第３大当たり遊技、パターンＮｏ．３０（１４Ｒ通常時短有図柄８）による大当たり遊技（通常当たり、５Ｒ、電サポ回数２０回）が本発明の第４大当たり遊技にそれぞれ相当する。
【００７２】
さらに、実質ラウンド数５回のグループには、「１４Ｒ通常時短有図柄７」に対応付けられていると共に通常当たりと電サポ３０回の内容が規定されたパターンＮｏ．２９と、「１４Ｒ特定時短有図柄１７」に対応付けられていると共に確変当たりと電サポ３０回の内容が規定されたパターンＮｏ．１７と、「１４Ｒ特定時短有図柄１８」、「１４Ｒ特定時短有図柄２０」、「１４Ｒ特定時短有図柄２２」にそれぞれ対応付けられている確変無限時短パターン（パターンＮｏ．１８，２０，２２）とが含まれている。
【００７３】
一方、実質ラウンド数が８回（Ｎｂ回）のグループ（本発明の第２大当たりグループに相当）には、「１４Ｒ通常時短有図柄６」に対応付けられていると共に通常当たりと電サポ２０回の内容が規定されたパターンＮｏ．２８と、「１４Ｒ特定時短有図柄１５」に対応付けられていると共に確変当たりと電サポ２０回の内容が規定されたパターンＮｏ．１５とが含まれるうえ、さらに、「１４Ｒ通常時短有図柄５」に対応付けられていると共に通常当たりと電サポ３０回の内容が規定されたパターンＮｏ．２７と、「１４Ｒ特定時短有図柄１３」に対応付けられていると共に確変当たりと電サポ３０回の内容が規定されたパターンＮｏ．１３と、「１４Ｒ特定時短有図柄１４」、「１４Ｒ特定時短有図柄１６」にそれぞれ対応付けられている確変無限時短パターン（パターンＮｏ．１４，１６）が含まれている。
【００７４】
ところが、図９，１０から明らかなように、この実質ラウンド８回のグループ（第２大当たりグループ）には、電サポ回数１０回のパターンは含まれていない。よって、大当たり遊技の実質ラウンドが８回の場合には、必ず大当たり遊技後に２０回以上、即ち、２０回、３０回、または１００００回の電サポ回数が付与されることになる。
【００７５】
また、実質ラウンド数が１０回のグループには、「１４Ｒ通常時短有図柄４」に対応付けられていると共に通常当たりと電サポ３０回の内容が規定されたパターンＮｏ．２６と、「１４Ｒ特定時短有図柄１１」に対応付けられていると共に確変当たりと電サポ３０回の内容が規定されたパターンＮｏ．１１とが含まれるうえ、さらに、「１４Ｒ特定時短有図柄１２」に対応付けられている確変無限時短パターン（パターンＮｏ．１２）が含まれている。
【００７６】
ところが、図９，１０から明らかなように、この実質ラウンド１０回のグループには、電サポ回数１０回および２０回のパターンは含まれていない。よって、大当たり遊技の実質ラウンドが１０回の場合には、必ず大当たり遊技後に３０回または１００００回の電サポ回数が付与されることになる。
【００７７】
また、実質ラウンド数が１４回のグループには、「１４Ｒ通常時短有図柄３」に対応付けられていると共に通常当たりと電サポ１０回の内容が規定されたパターンＮｏ．２５と、「１４Ｒ通常時短有図柄２」に対応付けられていると共に通常当たりと電サポ２０回の内容が規定されたパターンＮｏ．２４と、「１４Ｒ通常時短有図柄１」に対応付けられていると共に通常当たりと電サポ３０回の内容が規定されたパターンＮｏ．２３と、「１４Ｒ特定時短有図柄９」に対応付けられていると共に確変当たりと電サポ１０回の内容が規定されたパターンＮｏ．９と、「１４Ｒ特定時短有図柄８」に対応付けられていると共に確変当たりと電サポ２０回の内容が規定されたパターンＮｏ．８と、「１４Ｒ特定時短有図柄７」に対応付けられていると共に確変当たりと電サポ３０回の内容が規定されたパターンＮｏ．７とが含まれている。さらに、実質ラウンド数が１４回のグループには、「１４Ｒ特定時短有図柄１」、「１４Ｒ特定時短有図柄２」、「１４Ｒ特定時短有図柄３」、「１４Ｒ特定時短有図柄４」、「１４Ｒ特定時短有図柄５」、「１４Ｒ特定時短有図柄６」、「１４Ｒ特定時短有図柄１０」にそれぞれ対応付けられている確変無限時短パターン（パターンＮｏ．１〜６，１０）が含まれている。
【００７８】
このように、実質ラウンド数が５回のときには、電サポ回数が１０，２０，３０．１００００回の何れかであるが、実質ラウンド数が８回のときには、電サポ回数は、実質ラウンド数５回のときに選択可能な電サポ回数のうち最も少ない１０回が除外されて、２０，３０，１００００回の何れかとなり、実質ラウンド数が１０回のときには、電サポ回数は、実質ラウンド数８回のときに選択可能な電サポ回数のうち最も少ない２０回が除外されて、３０，１００００回の何れかとなる。そのため、本実施形態では、大当たり遊技における実質ラウンド数が多ければ多いほど、電サポ回数が多くなる可能性が高くなる。
【００７９】
またここで、図７を参照しながら、電サポ回数に応じた確変当たりの可能性について見てみると、実質ラウンド数が５Ｒ（第１大当たりグループ）の場合、電サポ回数が１０回であるパターンＮｏ．２１（１４Ｒ特定時短有図柄２１、第３大当たり遊技）とパターンＮｏ．３１（１４Ｒ通常時短有図柄９、第１大当たり遊技）とを比べると、それぞれの選択確率は５．５％で同じである。よって、実質ラウンド数が５Ｒの大当たり遊技後に電サポ回数が１０回であった場合には、特別図柄の種類が、「１４Ｒ特定時短有図柄２１」の場合と「１４Ｒ通常時短有図柄９」の場合とが１：１、即ち、確変当たりと通常当たりの可能性が半々と言うことになる。
【００８０】
これに対して、実質ラウンド数が５Ｒ（第１大当たりグループ）の場合、電サポ回数が２０回であるパターンＮｏ．１９（１４Ｒ特定時短有図柄１９、第２大当たり遊技）とパターンＮｏ．３０（１４Ｒ通常時短有図柄８、第４大当たり遊技）とでは、それぞれの選択確率は９％と４．５％となっており、Ｎｏ．１９の方がＮｏ．３０に比べて選択確率が高い。よって、実質ラウンド数が５Ｒの大当たり遊技後に電サポ回数が２０回であった場合には、特別図柄の種類が、「１４Ｒ特定時短有図柄１９」の場合と「１４Ｒ通常時短有図柄８」の場合とが２：１、即ち、確変当たりの可能性が通常当たりの可能性に比べて２倍高いと言うことになる。
【００８１】
さらに、実質ラウンド数が５Ｒの場合、電サポ回数が３０回であるパターンＮｏ．１７（１４Ｒ特定時短有図柄１７）とパターンＮｏ．２９（１４Ｒ通常時短有図柄７）とでは、それぞれの選択確率は９％と４．５％となっており、Ｎｏ．１９の方がＮｏ．３０に比べて選択確率が高い。よって、実質ラウンド数が５Ｒの大当たり遊技後に電サポ回数が２０回であった場合には、特別図柄の種類が、「１４Ｒ特定時短有図柄１９」の場合と「１４Ｒ通常時短有図柄９」の場合とが３：１、即ち、確変当たりの可能性が通常当たりの可能性に比べて３倍高いと言うことになる。
【００８２】
このように、本実施形態では、実質ラウンド数が同一の場合、電サポ回数が多いほど、確変当たりの可能性が高くなるように予め選択確率に重み付けがなされているのである。
【００８３】
また、図７を参照しながら実質ラウンド数と確変当たりの可能性との関係について見てみると、実質ラウンド回数が５回（第１大当たりグループ）のパターンのうち、確変当たりであるパターンＮｏ．１７〜Ｎｏ．２２（１４Ｒ特定時短有図柄１７〜２２、第１グループ系確変大当たり遊技）がそれぞれ選択される確率は、１２％、０．５％、９％、０．５％、５．５％、０．５％である。よって、パターンＮｏ．１７〜Ｎｏ．２２の何れかが選択される確率は、前記の各確率を合計すると、１２＋０．５＋９＋０．５＋５．５＋０．５＝２８％となる。これに対して、通常当たりであるパターンＮｏ．２９〜Ｎｏ．３１（１４Ｒ通常時短有図柄７〜９、第１グループ系通常大当たり遊技）がそれぞれ選択される確率は、４％、４．５％、５．５％である。よって、パターンＮｏ．２９〜Ｎｏ．３１の何れかが選択される確率は、前記の各確率を合計すると、４＋４．５＋５．５＝１４％となる。このことから、実質ラウンド数が５回の場合には、確変当たりの可能性が通常当たりの可能性に比べて２倍（２８％／１４％＝２倍）高くなっていることが分かる。
【００８４】
一方、実質ラウンド数が８回（第２大当たりグループ）のパターンのうち、確変当たりであるパターンＮｏ．１３〜Ｎｏ．１６（１４Ｒ特定時短有図柄１３〜１６、第２グループ系確変大当たり遊技）がそれぞれ選択される確率は、１０．５％、０．５％、９％、０．５％である。よって、パターンＮｏ．１３〜Ｎｏ．１６の何れかが選択される確率は、前記の各確率を合計すると、１０．５＋０．５＋９＋０．５＝２０．５％となる。これに対して、通常当たりであるパターンＮｏ．２７〜Ｎｏ．２８（１４Ｒ通常時短有図柄５〜６、第２グループ系通常大当たり遊技）がそれぞれ選択される確率は、３．５％、４．５％である。よって、パターンＮｏ．２７〜Ｎｏ．２８の何れかが選択される確率は、前記の各確率を合計すると、３．５＋４．５＝８％となる。このことから、実質ラウンド数が８回の場合には、確変当たりの可能性が通常当たりの可能性に比べて約２．５倍（２０．５％／８％＝約２．５倍）高くなっていることが分かる。
【００８５】
さらに、実質ラウンド数が１０回のパターンのうち、確変当たりであるパターンＮｏ．１１〜Ｎｏ．１２（１４Ｒ特定時短有図柄１１〜１２）がそれぞれ選択される確率は、９％、０．５％である。よって、パターンＮｏ．１１〜Ｎｏ．１２の何れかが選択される確率は、前記の各確率を合計すると、９＋０．５＝９．５％となる。これに対して、パターンＮｏ．２６（１４Ｒ通常時短有図柄４）が選択される確率は、３％である。このことから、実質ラウンド数が１０回の場合には、確変当たりの可能性が通常当たりの可能性に比べて約３．２倍（９．５％／３％＝３．２倍）高くなっていることが分かる。
【００８６】
ここで、実質ラウンド数が５回の場合と、８回の場合と、１０回の場合とで確変当たりの可能性と通常当たりの可能性を比較すると、５回の場合は２倍、８回の場合は約２．５倍、１０回の場合は約３．２倍であることから、本実施形態では、実質ラウンド数が多くなるほど、確変当たりの可能性が高くなるように予め選択確率に重み付けがなされているということになる。
【００８７】
このように、本実施形態では、遊技者に有利な条件になればなるほど、確変当たりの可能性が高まるような仕組みとなっているのである。
【００８８】
さらに、図７を参照しながら実質ラウンド数が５回、８回、１０回となる確率を計算すると、実質ラウンド回数が５回のパターンが選択される確率は、パターンＮｏ．１７〜２２、およびパターンＮｏ．２９〜３１の各選択確率を合計すると、２８％＋１４％＝４２％であり、実質ラウンド回数が８回のパターンが選択される確率は、パターンＮｏ．１３〜１６、およびパターンＮｏ．２７〜２８の各選択確率を合計すると、２０．５％＋８％＝２８．５％であり、実質ラウンド回数が１０回のパターンが選択される確率は、パターンＮｏ．１１〜１２、およびパターンＮｏ．２６の各選択確率を合計すると、９．５％＋３％＝１２．５％である。よって、実質ラウンド数が５回となる確率が最も高く、１０回となる確率は最も低いということになる。
【００８９】
以上の説明から、本実施形態では、実質ラウンド数（大当たり遊技における獲得可能な賞球数）と電サポ回数とから特図当たりが確変当たりであるのか否かの予測を立てることができる。そして、詳しくは後述するが、演出表示装置３４には、通常当たりと確変当たりとで区別がつかないように共通の背景画像が表示されるようになっている。そのため、遊技者が特図当たりの種別を予測するためには、実質ラウンド数と電サポ回数を頼りにするしかないということになる。
【００９０】
例えば、実質ラウンド数が１０回となる確率は、５回および８回となる確率より低いため、なかなか実質ラウンド数が１０回となることはないが、特図当たりに当選して、その当選に係る大当たり遊技での実質ラウンド数が１０回となった場合には、遊技者は、その当選に係る特図当たりが確変当たりの可能性がかなり高いのではないかと期待を大きくする。また、実質ラウンド数が５回や８回であったとしても、電サポ回数が２０回や３０回の場合には、電サポ回数が１０回の場合に比べて確変当たりの可能性が高いので、遊技者は、確変当たりを期待しながら遊技を行うことができる。
【００９１】
なお、本実施形態では、実質ラウンド数が５回、８回、１０回の他に、１４回も設けられていて、実質ラウンド数が１４回となった場合には、第１特別図柄種類決定テーブル１２５ａ（図７）では必ず確変当たりとなり、第２特別図柄種類決定テーブル１２５ｂ（図８）では７５％の確率で確変当たりとなるように選択確率の重み付けがなされている。また、第２特別図柄種類決定テーブル１２５ｂでは、実質ラウンド数は必ず１４回となるように選択確率が割り振られている。そのため、第２特別図柄種類決定テーブル１２５ｂを参照した場合、即ち、第２始動入賞口３７ｂに遊技球が入賞して特図当たりとなった場合の方が、第１特別図柄種類決定テーブル１２５ａを参照する場合に比べて遊技者に有利である。
【００９２】
次に、上記した実質ラウンド数について、図１１および図１２を参照しながら詳しく説明する。まず、本実施形態の大当たり遊技は、アタッカー装置４１が所定回数だけ開閉するラウンド遊技を複数回連続して行う構成となっている。１回のラウンド遊技は、ラウンド遊技開始後にアタッカー装置４１が開き、露呈した大入賞口４２に所定個数の遊技球が入賞すること、またはラウンド遊技が開始されてから所定時間が経過したことの何れかの終了条件（ラウンド終了条件）が成立すると終了する。そして、本実施形態では、３１種類の特別図柄の何れが選択されても、必ずラウンド遊技が１４回（ラウンド）行われるが、１４回のラウンド遊技のうち、遊技者が賞球を獲得することのできるラウンド遊技の回数、つまり、出玉有りのラウンド遊技の回数が特別図柄の種類によって異なるものとなっている。なお、このアタッカー装置１４の作動を制御して、特別図柄の種類に応じたラウンド数の大当たり遊技（複数種類の大当たり遊技）を提供しているのが、大当たり遊技制御部１６０である。
【００９３】
以下に、特別図柄の種類に応じた大当たり遊技の内容（アタッカー装置４１の開閉パターン）について説明する。本実施形態における大当たり遊技は、「○印」、「×印」、「特１」、「特２」、「特３」の何れかのパターンのラウンド遊技を１４回分組み合わせて構成される。
【００９４】
「○印」のラウンド遊技は、アタッカー装置４１が１回開放し、その開放時間が最大３０秒間に設定され、ラウンド終了条件が、大入賞口４２に９個の遊技球が入賞すること、またはラウンド遊技が開始されてから３０秒が経過したことの何れかが成立したことに設定された内容のものである。この「○印」のラウンド遊技では、アタッカー装置４１が長時間開放して、大入賞口４２に遊技球を入賞させることができるから、遊技者は賞球を獲得することができる。つまり、「○印」のラウンド遊技は、出玉有りのラウンド遊技である。
【００９５】
「×印」のラウンド遊技は、アタッカー装置４１が１回開放し、その開放時間が最大０．２秒間に設定され、ラウンド終了条件が、大入賞口４２に９個の遊技球が入賞すること、またはラウンド遊技が開始されてから２秒が経過したことの何れかが成立したことに設定された内容のものである。この「×印」のラウンド遊技では、アタッカー装置４１が開放している時間が非常に短いため、大入賞口４２に遊技球を入賞させることは困難である。そのため、「×印」のラウンド遊技では遊技者は賞球を獲得することができない。よって、「×印」のラウンド遊技は、出玉無しのラウンド遊技である。
【００９６】
「特１」のラウンド遊技は、図１２に示すように、アタッカー装置４１が５回開放し、１回目〜４回目（●印）までの開放時間が最大０．２秒間に設定され、５回目（◎印）の開放時間が最大２８秒に設定され、ラウンド終了条件が、大入賞口４２に９個の遊技球が入賞すること、またはラウンド遊技が開始されてから３０秒が経過したことの何れかが成立したことに設定された内容のものである。この特１のラウンド遊技では、アタッカー装置４１が長時間開放して、大入賞口４２に遊技球を入賞させることができるから、遊技者は賞球を獲得することができる。つまり、特１のラウンド遊技は、出玉有りのラウンド遊技である。なお、「特２」および「特３」のラウンド遊技の内容は、「特１」と同じであるため、説明は省略する。
【００９７】
例えば、「１４Ｒ特定時短有図柄１」に対応する大当たり遊技は、図１１に示すように、１４ラウンド全てのラウンド遊技が「○印」の開閉パターンとなる内容である。よって、この「１４Ｒ特定時短有図柄１」が選択された場合には、１４ラウンド全てが出玉有りのラウンド遊技となる。つまり、「１４Ｒ特定時短有図柄１」の実質ラウンド数は１４回である。
【００９８】
また、「１４Ｒ特定時短有図柄２０」に対応する大当たり遊技は、１〜５ラウンドまでのラウンド遊技が「○印」の開閉パターンとなり、６〜１４ラウンドまでのラウンド遊技が「×印」の開閉パターンとなる。よって、この「１４Ｒ特定時短有図柄２０」が選択された場合には、１〜５ラウンドまでは出玉有りのラウンド遊技であるが、６〜１４ラウンドまでは出玉無しのラウンド遊技となる。つまり、「１４Ｒ特定時短有図柄２０」の実質ラウンド数は５回である。
【００９９】
また、本実施形態では、「特１」、「特２」、「特３」の何れかが含まれた特殊な大当たり遊技の内容も用意されている。例えば、「１４Ｒ特定時短有図柄１３」に対応する大当たり遊技は、１〜５ラウンドまでのラウンド遊技が「○印」の開閉パターンとなり、６ラウンドのラウンド遊技が「特１」の開閉パターンとなり、７〜８ラウンドまでのラウンド遊技が「○印」の開閉パターンとなり、９〜１４ラウンドまでのラウンド遊技が「×印」の開閉パターンとなる。よって、１〜８ラウンドまでが出玉有りのラウンド遊技となり、９〜１４ラウンドまでが出玉無しのラウンド遊技となる。つまり、実質ラウンド数は８回である。
【０１００】
ところが、この「１４Ｒ特定時短有図柄１３」が選択された場合には、６ラウンド目のラウンド遊技が開始されると、図１２（ａ）に示すように、アタッカー装置４１が、０．２秒間だけ開放する動作が４回繰り返される。遊技者は、この動作を見て、今回の大当たり遊技は実質ラウンド数が５回であったと思い込む。そのように思い込んでいると、いきなりアタッカー装置４１が２８秒間開放されるので、遊技者は、実質ラウンド数が増えたことに大いに興奮する。このように、「１４Ｒ特定時短有図柄１３」は、本来なら８回の出玉有りラウンド遊技が提供されるべきところ、出玉有りのラウンド遊技が５回しかないと思わせつつ、８回に昇格したかのように演出することができる内容となっているのである。
【０１０１】
このように、本実施形態では、１４ラウンドのうち出玉の獲得できるラウンド遊技の回数（実質ラウンド数）が異なるように設定されているから、バリエーションに富んだ大当たり遊技の提供が可能である。
【０１０２】
次に、特別図柄の変動時間を決定するための処理について説明する。特別図柄変動パターンコマンド決定部１３０は、図１３に示すように、特別図柄に係る変動パターンコマンドの決定に用いる変動パターン用乱数を発生させるための特別図柄変動パターン用乱数発生部１３１と、第１始動入賞口３７ａに遊技球が入賞したことに基づいて特別図柄に係る変動パターン（ＰＴ）コマンドを決定するための第１特別図柄変動パターン抽選部１３０ａと、第２始動入賞口３７ｂに遊技球が入賞したことに基づいて変動パターン（ＰＴ）コマンドを決定するための第２特別図柄変動パターン抽選部１３０ｂとを備えて構成されている。
【０１０３】
特別図柄変動パターン用乱数発生部１３１は、周期的（例えば２ミリ秒毎）に入力される割り込み信号に基づいてループカウンタの値を所定の範囲（０〜９まで）で１ずつ更新させることによりソフトウェア乱数を生成するものである。
【０１０４】
第１特別図柄変動パターン抽選部１３０ａは、第１始動入賞口３７ａに遊技球が入賞したことを契機に、特別図柄変動パターン用乱数発生部１３１にて発生した特別図柄変動パターン用の乱数の中から１つの乱数を取得する第１特別図柄変動パターン用乱数取得部１３２ａと、この第１特別図柄変動パターン用乱数取得部１３２ａが取得した乱数から、特別図柄共通変動パターンコマンドテーブル１３４を参照して特別図柄に係る変動パターンコマンドを決定する第１特別図柄変動パターン決定部１３５ａと、特別図柄が変動中の場合に、第１特別図柄変動パターン用乱数取得部１３２ａが取得した乱数を上限４個まで記憶する第１特別図柄変動パターン用乱数記憶部１３３ａとを備えて構成されている。なお、第１特別図柄変動パターン抽選部１３０ａは、第１始動入賞口３７ａに遊技球が１個入賞すると、第１特別図柄当否抽選部１１９ａと同様に、その入賞につき１つの特別図柄変動パターン用乱数を取得する。
【０１０５】
第２特別図柄変動パターン抽選部１３０ｂも第１特別図柄変動パターン抽選部１３０ａと同様に、第２始動入賞口３７ｂに遊技球が入賞したことを契機に、特別図柄変動パターン用乱数発生部１３１にて発生した特別図柄変動パターン用の乱数の中から１つの乱数を取得する第２特別図柄変動パターン用乱数取得部１３２ｂと、この第２特別図柄変動パターン用乱数取得部１３２ｂが取得した乱数から、特別図柄共通変動パターンコマンドテーブル１３４を参照して特別図柄に係る変動パターンコマンドを決定する第２特別図柄変動パターン決定部１３５ｂと、特別図柄が変動中の場合に、第２特別図柄変動パターン用乱数取得部１３２ｂが取得した乱数を上限４個まで記憶する第２特別図柄変動パターン用乱数記憶部１３３ｂとを備えて構成されている。なお、第２特別図柄変動パターン抽選部１３０ｂは、第２始動入賞口３７ｂに遊技球が１個入賞すると、第２特別図柄当否抽選部１１９ｂと同様に、その入賞につき１つの特別図柄変動パターン用乱数を取得する。
【０１０６】
特別図柄共通変動パターンコマンドテーブル１３４は、第１特別図柄変動パターン抽選部１３０ａおよび第２特別図柄変動パターン抽選部１３０ｂの両方の抽選部が共通で用いるテーブルであって、図１４に示すように、変動パターンテーブルＡ（低確）１３４ａ、変動パターンテーブルＢ（時短）１３４ｂ、変動パターンテーブルＣ（高確）１３４ｃ、変動パターンテーブルＤ（潜確）１３４ｄ、変動パターンテーブルＥ（時確）１３４ｅ、変動パターンテーブルＦ（節目）１３４ｆ、変動パターンテーブルＧ（時ラス）１３４ｇの合計７つのテーブルを備えている。これらのテーブルは、さらに、複数の小テーブルを備えて構成されている。例えば、図１５に示すように、変動パターンテーブルＡ（低確）１３４ａは、当たりテーブル１３４ａ−１、保留１〜３用ハズレテーブル１３４ａ−２、および保留４用ハズレテーブル１３４ａ−３の３つの小テーブルを備えている。
【０１０７】
当たりテーブル１３４ａ−１は、特別図柄当否抽選部１１９ａ，１１９ｂによる抽選で特図当たりに当選した場合に参照される小テーブルであり、保留１〜３用ハズレテーブル１３４ａ−２は、特別図柄当否抽選部１１９ａ，１１９ｂによる抽選でハズレであって、特別図柄用保留球乱数記憶部１１５ａ，１１５ｂに記憶されている保留球乱数の個数が１〜３個までの場合に参照される小テーブルであり、保留４用ハズレテーブル１３４ａ−３は、特別図柄当否抽選部１１９ａ，１１９ｂによる抽選でハズレであって、特別図柄用保留球乱数記憶部１１５ａ，１１５ｂに記憶されている保留球乱数の個数が４個（上限）の場合に参照される小テーブルである。
【０１０８】
それぞれの小テーブル１３４ａ−１，２，３は、特別図柄の変動パターン用乱数と特別図柄の変動パターンＮｏ．が予め対応づけられた構成となっている。そのため、特別図柄変動パターン用乱数が決まると、それぞれの小テーブルを参照すれば、その変動パターン用乱数に対応する変動パターンＮｏ．（特別図柄に係る変動パターンコマンド）が自ずと決まり、その変動パターンＮｏ．に対応する特別図柄の変動時間が決まるようになっている。
【０１０９】
各小テーブルに記憶されている特別図柄の変動時間について説明すると、まず、当たりテーブル１３４ａ−１には、３０秒から１２０秒までの変動時間が記憶されている。保留１〜３用ハズレテーブル１３４ａ−２には、１０秒〜１２０秒までの変動時間が記憶されているが、当たりテーブル１３４ａ−１と比べて相対的に短い変動時間が多く含まれている。保留４用ハズレテーブル１３４ａ−３には、２秒〜４５秒までの変動時間が記憶されている。保留１〜３用ハズレテーブル１３４ａ−２と保留４用ハズレテーブル１３４ａ−３とを比較すると、保留４用ハズレテーブル１３４ａ−３の方が保留１〜３用ハズレテーブル１３４ａ−２に比べて相対的に短い変動時間が記憶されている。
【０１１０】
本実施形態では、特図当たり時に選択可能な全ての変動パターンＮｏ．１〜１０で大当たりコマンドが構成され、ハズレ時に選択可能な変動パターンＮｏ．１１〜３０のうち、リーチになる変動パターンＮｏ．１５〜Ｎｏ．２０、およびＮｏ．２８〜Ｎｏ．３０（図２１参照）でリーチハズレコマンドが構成され、それ以外の変動パターンＮｏ．で通常のハズレコマンドが構成されている。
【０１１１】
なお、詳しい説明は省略するが、変動パターンテーブルＢ〜Ｇについても同様に、それぞれ複数の小テーブルが設けられており、各小テーブルは、変動パターンテーブルに応じた特有の変動パターンＮｏ．の構成となっている。よって、遊技開始時に参照する変動パターンテーブルがＡ〜Ｇの何れであるかによって、演出表示装置３４に表示される演出の特徴が異なるものとなる。
【０１１２】
ここで、本実施形態では、変動パターンテーブルＡ〜Ｇの何れを参照するかは、特別図柄の種類と大当たり遊技後の遊技回数とに応じて予め定められている。これについて、図１６を参照しながら以下に説明する。図１６は、特別図柄の種類に応じて、大当たり遊技後の遊技回数が１回目から３０回目までと、３１回目以降とで、変動パターンテーブルＡ〜Ｇの何れのテーブルが選択されるかを示しており、同図中、「Ａ」〜「Ｇ」は、変動パターンテーブルの種類を表示している。
【０１１３】
例えば、特図当たりに当選したときの特別図柄の種類が「１４Ｒ特定時短有図柄１３」の場合、大当たり遊技終了後の１回目の遊技から９回目の遊技までは変動パターンテーブルＥ（時確）１３４ｅが参照され、１０回目の遊技では変動パターンテーブルＦ（節目）１３４ｆが参照され、１１回目の遊技から１９回目の遊技までは変動パターンテーブルＥ（時確）１３４ｅが参照され、２０回目の遊技では変動パターンテーブルＦ（節目）１３４ｆが参照され、２１回目の遊技から２９回目の遊技までは変動パターンテーブルＥ（時確）１３４ｅが参照され、３０回目の遊技では変動パターンテーブルＧ（時ラス）１３４ｇが参照され、３１回目以降の遊技では変動パターンテーブルＤ（潜確）１３４ｄが参照されるように予め定められている。
【０１１４】
なお、変動パターンテーブルＡ（低確）１３４ａは、遊技状態が通常モードのときに参照され、変動パターンテーブルＢ（時短）１３４ｂは、遊技状態が時短モードのときに参照され、変動パターンテーブルＣ（高確）１３４ｃは、遊技状態が確変モードのときに参照され、変動パターンテーブルＤ（潜確）１３４ｄは、遊技状態が内確モードのときに参照され、変動パターンテーブルＥ（時確）１３４ｅは、遊技状態が確変モードのときに参照されるものである。
【０１１５】
また、変動パターンテーブルＦ（節目）１３４ｆは、遊技回数が１０回目または２０回目に限って参照されるものである。また、変動パターンテーブルＧ（時ラス）１３４ｇは、遊技回数が１０回目、２０回目、または３０回目に限って参照されるものである。変動パターンテーブルＦ，Ｇが参照される遊技回数と電サポ回数とは同じとなるように予め設定することにより、電サポ回数が終了するかもしれない演出を行うことができるようにしている。なお、図示していないが、電源投入後の初期状態やＲＡＭクリア時は、変動パターンテーブルＡ（低確）１３４ａが参照されるように設定されている。
【０１１６】
次に、普通図柄変動パターンコマンド決定部１９０は、図１８に示すように、普通図柄変動パターンコマンドの決定に用いる普通図柄変動パターン用乱数を発生させる普通図柄変動パターン用乱数発生部１９１と、普通図柄に係る変動パターン（ＰＴ）コマンドを決定するための普通図柄変動パターン抽選部１９６と、を備えて構成されている。
【０１１７】
普通図柄変動パターン抽選部１９６は、スルーチャッカ２１を遊技球が通過したことを契機に、普通図柄変動パターン用乱数発生部１９１にて発生した普通図柄変動パターン用の乱数の中から１つの乱数を取得する普通図柄変動パターン用乱数取得部１９２と、この普通図柄変動パターン用乱数取得部１９２が取得した乱数から、普通図柄変動パターンコマンドテーブル１９４を参照して普通図柄に係る変動パターンコマンドを決定する普通図柄変動パターン決定部１９５と、普通図柄が変動中の場合に、普通図柄変動パターン用乱数取得部１９２が取得した乱数を上限４個まで記憶する普通図柄変動パターン用乱数記憶部１９３とを備えて構成されている。なお、普通図柄変動パターンコマンド決定部１９０は、スルーチャッカ２１を遊技球が１個通過すると、その通過につき１つの普通図柄変動パターン用乱数を取得する。
【０１１８】
普通図柄変動パターン用乱数発生部１９１は、周期的（例えば２ミリ秒毎）に入力される割り込み信号に基づいてループカウンタの値を所定の範囲（例えば０〜４まで）で１ずつ更新させることによりソフトウェア乱数を生成するものである。
【０１１９】
普通図柄変動パターンコマンドテーブル１９４には、図１９に示すように、普通図柄の変動時間が長い普図変動テーブルＡ（１９４−１）と短い普図変動テーブルＢ（１９４−２）の２つの普図変動テーブルが記憶されている。それぞれのテーブルは、普通図柄変動パターン用乱数と普通図柄変動パターンＮｏ．とが予め対応づけられた構成となっている。そのため、普通図柄変動パターン用乱数が決まると、それぞれのテーブルを参照すれば、その変動パターン用乱数に対応する変動パターンＮｏ．（普通図柄に係る変動パターンコマンド）が自ずと決まり、その変動パターンＮｏ．に対応する普通図柄の変動時間が決まるようになっている。
【０１２０】
ここで、本実施形態では、普図変動テーブルＡ（１９４−１）を参照すると何れの普通図柄変動パターン用乱数の値であっても、普通図柄の変動時間は３０秒となり、普図変動テーブルＢ（１９４−２）を参照すると何れの普通図柄変動パターン用乱数の値であっても、普通図柄の変動時間は０．６秒となっている。普図変動テーブルＡは、遊技状態が通常モードおよび内確モードの場合に参照され、普図変動テーブルＢは、遊技状態が時短モードと確変モードの場合に参照されるようになっている。
【０１２１】
このように普通図柄の変動時間が遊技状態に応じて異なるようになっているから、本実施形態では、例えば、普通図柄の当選確率が高確率状態の、時短モードおよび確変モードでは、普通図柄が０．６秒間変動した後に電動チューリップ４９が開閉するといった現象が繰り返し発生することになる。一方、通常モードと内確モードの場合、普通図柄の変動時間が３０秒と長いうえ、普通図柄の当選確率が低確率な状態であるため、なかなか電動チューリップ４９は開放しない。
【０１２２】
このように構成された主制御処理部１１は、第１始動入賞口３７ａに入賞したことを契機に行われる遊技の開始に際して、第１特別図柄変動パターン抽選部１３０ａで決定された特別図柄変動パターンコマンドを演出制御処理部１２ａに送信すると共に、第１特別図柄当否抽選部１１９ａによる抽選に当選した場合には第１特別図柄種類抽選部１２９ａで決定された特別図柄の種類に関するコマンドも演出制御処理部１２ａに送信している。同様に、主制御処理部１１は、第２始動入賞口３７ｂに入賞したことを契機に行われる遊技の開始に際して、第２特別図柄変動パターン抽選部１３０ｂで決定された特別図柄変動パターンコマンドを演出制御処理部１２ａに送信すると共に、第２特別図柄当否抽選部１１９ｂによる抽選に当選した場合には第２特別図柄種類抽選部１２９ｂで決定された特別図柄の種類に関するコマンドも演出制御処理部１２ａに送信している。
【０１２３】
また、スルーチャッカ２１を遊技球が通過した場合には、普通図柄変動パターン抽選部１９６で決定された普通図柄変動パターンコマンドおよび普通図柄当否抽選部１７７の抽選結果に係るコマンドを普通図柄表示制御部１２ｆに送信している。
【０１２４】
ここで、主制御処理部１１から演出制御処理部１２ａに対して送信される遊技用のコマンドは、特別図柄の種類に関するコマンドと特別図柄変動パターンコマンドとを含んで構成されたものと、特別図柄変動パターンコマンドは含まれるものの特別図柄の種類に関するコマンドは含まれずに構成されたものの両方があるが、以下の説明において、これら遊技用のコマンドを一括りに「遊技コマンド」と言うことにする。
【０１２５】
次に、この遊技コマンドの中身について説明する。遊技コマンドは、「Ｎｏ．？」または「Ｎｏ．？＋？図柄」の何れかで構成されている。遊技コマンドのうち「Ｎｏ．？」は、第１特別図柄変動パターン抽選部１３０ａまたは第２特別図柄変動パターン抽選部１３０ｂが決定した特別図柄に係る変動パターンコマンドを示し、遊技コマンドのうち「？図柄」は、第１特別図柄種類抽選部１２９ａまたは第２特別図柄種類抽選部１２９ｂが決定した特別図柄の種類に関するコマンドを示している。
【０１２６】
例えば、変動パターンテーブル１３４ａが参照された場合には、図１５に示すように、変動パターンＮｏ．１〜Ｎｏ．３０の何れかが決定されることになるが、変動パターンＮｏ．１〜Ｎｏ．１０は当たりテーブル（１３４ａ−１）を参照していることから、「Ｎｏ．１」〜「Ｎｏ．１０」の各コマンドは大当たりコマンドであり、変動パターンＮｏ．１１〜Ｎｏ．３０は、保留１〜３用ハズレテーブル（１３４ａ−２）または保留４用ハズレテーブル（１３４ａ−３）を参照していることから、「Ｎｏ．１１」〜「Ｎｏ．３０」の各コマンドはハズレコマンドである。また、特別図柄の種類に関するコマンドは、図７等に示すように、「１４Ｒ特定時短有図柄１〜２２」、「１４Ｒ通常時短有図柄１〜９」の合計３１種類のコマンドから成るものである。
【０１２７】
よって、遊技コマンドに変動パターン「Ｎｏ．１」〜「Ｎｏ．１０」の何れかの情報が含まれていれば、その遊技コマンドは大当たりコマンドであり、「？図柄」のコマンドを確認すれば、その遊技コマンドが、確変当たりか通常当たりの何れであるか、実質ラウンド数が何回であるか、電サポ回数が何回であるかが分かる。また、遊技コマンドに変動パターン「Ｎｏ．１１」〜「Ｎｏ．３０」の何れかの情報が含まれていれば、その遊技コマンドはハズレコマンドであることが分かる。このことは、変動パターンテーブルＢ〜Ｇが参照された場合の遊技コマンドについても同様である。なお、詳しい説明は省略するが、本実施形態では、遊技コマンドを解析すれば、変動パターンテーブルＡ〜Ｇの何れを参照したものかが分かるような符号が遊技コマンドに記されている。
【０１２８】
続いて、主制御処理部１１からの指令（コマンド）を受けて各種装置を制御する副制御処理部について説明する。副制御処理部を構成する演出制御処理部１２ａ、特別図柄表示制御部１２ｂ、ランプ制御処理部１２ｃ、払出制御処理部１２ｅ、および普通図柄表示制御部１２ｆは、遊技盤３の裏面に支持部材等を介して設けられ、主制御処理部１１が生成した処理情報に従って、演出表示装置３４やスピーカ２０、その他の演出装置（ＬＥＤ装置など）などの制御を行う装置である。
【０１２９】
演出制御処理部１２ａは、図２０に示すように、処理部として、演出態様を決定するための演出態様決定部２１０と、この演出態様決定部２１０が決定した演出態様を演出表示装置３４に表示するよう制御する演出表示制御部（演出表示制御手段）２２０と、始動入賞口３７ａ，ｂに遊技球が入賞して保留球乱数が記憶される毎に、保留球表示装置３４ａに所定の態様で保留球表示を行う保留球表示制御部２３０と、を備えている。また、演出制御処理部１２ａは、記憶部として、複数種類の演出パターン（演出態様）が記憶された演出テーブルＡ〜Ｇと、演出表示装置３４に表示する背景画像が記憶された複数の背景画像テーブル２６２〜２６５を備えている。
【０１３０】
演出態様決定部２１０は、遊技の開始時に、当該遊技に係る遊技コマンドに基づいて、演出態様記憶部２６０に記憶されている演出テーブルＡ〜Ｇを参照しながら、今回用いる演出パターンを決定する。ここで、演出テーブルＡ（低確）２６１ａは、変動パターンテーブルＡ（低確）１３４ａに基づく遊技コマンドが入力された場合に参照され、同様に、演出テーブルＢ（時短）２６１ｂは、変動パターンテーブルＢ（時短）１３４ｂに基づく遊技コマンドが入力された場合に、演出テーブルＣ（高確）２６１ｃは、変動パターンテーブルＣ（高確）１３４ｃに基づく遊技コマンドが入力された場合に、演出テーブルＤ（潜確）２６１ｄは、変動パターンテーブルＤ（潜確）１３４ｄに基づく遊技コマンドが入力された場合に、演出テーブルＥ（時確）２６１ｅは、変動パターンテーブルＥ（時確）１３４ｅに基づく遊技コマンドが入力された場合に、演出テーブルＦ（節目）２６１ｆは、変動パターンテーブルＦ（節目）１３４ｆに基づく遊技コマンドが入力された場合に、演出テーブルＧ（時ラス）２６１ｇは、変動パターンテーブルＧ（時ラス）１３４ｇに基づく遊技コマンドが入力された場合に、それぞれ参照されるようになっている。
【０１３１】
これら演出テーブルＡ〜Ｇのうち演出テーブルＡ（低確）２６１ａの構成を示したものが図２１である。図２１に示すように、演出テーブルＡ（低確）２６１ａは、遊技コマンドに演出パターンが対応付けられた構成となっている。例えば、遊技コマンドＮｏ．１＋「図柄」には、変動時間３０秒の「ノーマルリーチＡ１」と「ノーマルリーチＡ２」が対応する演出パターンとして記憶されており、遊技コマンドＮｏ．１３には、変動時間１０秒の「リーチなしＢ」が対応する演出パターンとして記憶されている。
【０１３２】
そして、例えば、遊技コマンドとして「Ｎｏ．１５」が演出制御処理部１２ａに送られてきた場合には、演出態様決定部２１０は、遊技コマンド「Ｎｏ．１５」に対応する演出パターン「ノーマルリーチＡ１」または「ノーマルリーチＡ２」の中から一方の演出パターンを抽選により決定する。なお、演出テーブルＢ〜Ｇは、それぞれ演出パターンの内容は異なるものの、その構成は演出テーブルＡと同様であるため、それらの図示および説明は省略する。
【０１３３】
さらに、演出表示制御部２２０は、演出態様決定部２１０が決定した演出パターンを表示するだけでなく、演出表示装置３４の背景画像を表示する制御も行っている。背景画像は、通常背景画像テーブル２６２、潜伏・時短共通背景画像テーブル２６３、確変確定背景画像テーブル２６４、および電サポ継続・終了背景画像テーブル２６５のそれぞれに記憶されており、演出表示制御部２２０は、遊技状態に応じて何れかの背景画像テーブルを参照して、演出表示装置３４に背景画像を表示している。
【０１３４】
具体的には、演出表示制御部２２０は、変動パターンテーブルＡ（低確）１３４ａおよび変動パターンテーブルＤ（潜確）１３４ｄに基づく遊技コマンドが入力された場合には、通常・潜伏背景画像テーブル２６２に記憶されている背景画像を演出表示装置３４に表示する。また、演出表示制御部２２０は、変動パターンテーブルＢ（時短）１３４ｂおよび変動パターンテーブルＥ（時確）１３４ｅに基づく遊技コマンドが入力された場合には、電サポ中背景画像テーブル２６３に記憶されている背景画像を演出表示装置３４に表示する。同様にして、演出表示制御部２２０は、変動パターンテーブルＣ（高確）１３４ｃに基づく遊技コマンドが入力された場合には、確変確定背景画像テーブル２６４に記憶されている背景画像を演出表示装置３４に表示し、変動パターンテーブルＦ（節目）１３４ｆに基づく遊技コマンドが入力された場合には、電サポ継続背景画像テーブル２６５に記憶されている背景画像を演出表示装置３４に表示し、変動パターンテーブルＧ（時ラス）１３４ｇに基づく遊技コマンドが入力された場合には、電サポ終了背景画像テーブル２６６に記憶されている背景画像を演出表示装置３４に表示する。
【０１３５】
このように、通常モードと内確モードとで、通常・潜伏背景画像テーブル２６２に記憶されている同じ背景画像が演出表示装置３４に表示されるので、遊技者は、その背景画像から、遊技状態が通常モードと内確モードの何れであるかを識別することは困難である。例えば、図７に示すように、特別図柄の種類が「１４Ｒ特定時短有図柄１３」と「１４Ｒ通常時短有図柄５」とでは、大当たり種別が、前者は確変当たりであり、後者は通常当たりであるという違いはあるが、実質ラウンド数は８回、電サポ回数は３０回であることでは両者は共通している。そこで、大当たり遊技後に演出表示装置３４に表示する背景画像を、図１６に示すように、１回目から３０回目（但し、１０、２０、３０回目を除いて）までは共に電サポ中背景画像テーブル２６３に記憶されている背景画像とし、１０回目および２０回目は共に電サポ継続背景画像テーブル２６５に記憶されている背景画像とし、３０回目は共に電サポ終了背景画像テーブル２６６に記憶されている背景画像とし、３１回目以降は共に通常・潜伏背景画像テーブル２６２に記憶されている背景画像とすることにより、遊技者が背景画像を見ても、現在の遊技状態が何であるかを予測できないようにしている。
【０１３６】
そのため、遊技者は、電サポ回数と大当たり遊技における実質ラウンド数とを頼りに、今回の特図当たりが確変当たりと通常当たりの何れであるかを予測することになる。そして、例えば、実質ラウンド数が８回や１０回となり、電サポ回数が３０回となった場合には、遊技者は、今回の特図当たりが確変当たりかもしれないと期待を高めつつ、遊技を楽しむことができるのである。つまり、本実施形態では、演出表示装置３４に表示する背景画像から遊技状態が何であるかを予測することが困難となるように表示制御を行いつつ、電サポ回数と実質ラウンド数とにより現在の遊技状態が内確モードであるのか（大当たりが確変当たりであったか）を遊技者に予測させる楽しみを提供しているのである。別言すれば、本実施形態に係るパチンコ機は、電サポ回数と実質ラウンド数とにより、潜伏確変の示唆を行っているのである。
【０１３７】
勿論、本実施形態において、何れの特別図柄の種類に当選したかが分からないように、演出表示装置３４に大当たりの表示を行うようにし、かつ、電サポ回数も何回であるかを最初から表示しないようにしていることは言うまでもない。
【０１３８】
図４に説明を戻すと、特別図柄表示制御部１２ｂは、主制御処理部１１から出力された遊技コマンドに基づき、特別図柄表示装置１７に特別図柄を所定の時間だけ変動させた後に停止させる態様で表示する。また、普通図柄表示制御部１２ｆは、主制御処理部１１から出力された、普通図柄に係る抽選の当否結果のコマンドと普通図柄変動パターンコマンドとに従って、普通図柄表示措置２２に普通図柄を所定時間だけ変動表示させた後、所定の態様で停止表示させる。なお、普通図柄表示制御部１２ｆは、上記した特別図柄表示制御部１２ｂによる表示制御と比べて表示する図柄の対象が相違するものの、表示制御の基本構成はほぼ同じである。また、ランプ制御処理部１２ｃは、主制御処理部１１からコマンドを受けて各種ランプや電飾の点灯制御を行うものである。
【０１３９】
払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御する。この賞球払出装置１４は、遊技球を１個ずつ保持する切欠きが形成されたスプロケット（図示せず）と、このスプロケットを回転させるモータ（図示せず）とを備えて構成されている。そして、モータの回転を制御することにより、必要な数だけ賞球を払い出すことができるようになっている。具体的には、始動入賞口検知センサ４３ａ、４３ｂ、一般入賞口検知センサ４４、大入賞口検知センサ４５等が遊技球の通過を検知したら、賞球払出装置１４は主制御処理部１１を経由して受けたコマンドに基づき遊技球を払い出す。
【０１４０】
発射制御処理部１３は、ハンドル７の回動量に応じて、発射装置９に対する作動の制御を行う装置である。より具体的に言うと、発射装置９に対して通電させたり、通電を停止したり、あるいは、通電電流を変化させるといった制御処理を行う。なお、この発射制御処理部１３は、払出制御処理部１２ｅと接続されており、ＣＲユニットが接続されていない場合に発射停止信号が受信されるようになっている。
【０１４１】
次に、本発明の実施の形態例に係るパチンコ機Ｐの特別図柄に係る遊技処理の手順について図２２を参照して説明するが、第１始動入賞口３７ａと第２始動入賞口３７ｂのどちらの始動入賞口に遊技球が入賞しても遊技に関する処理は同じであるため、以下では、第１始動入賞口３７ａに遊技球が入賞した場合について説明することとする。
【０１４２】
図２２に示すように、遊技球が第１始動入賞口３７ａに入賞したか否かを主制御処理部１１は判断する（ステップＳ１）。入賞した場合（ステップＳ１でＹｅｓ）には、第１特別図柄当否判定用乱数取得部１１２ａは特別図柄当否判定用の乱数を取得し、第１特別図柄種類決定用乱数取得部１２２ａは特別図柄種類決定用の乱数を取得し、第１特別図柄変動パターン用乱数取得部１３２ａは特別図柄変動パターン用の乱数を取得する（ステップＳ２）。特別図柄が変動中の場合（ステップＳ３でＹｅｓ）には、ステップＳ２で取得した特別図柄当否判定用乱数を第１特別図柄用保留球乱数記憶部１１５ａに、特別図柄種類決定用乱数を第１特別図柄種類決定用乱数記憶部１２４ａに、特別図柄変動パターン（ＰＴ）用乱数を第１特別図柄変動パターン用乱数記憶部１３３ａに、それぞれ記憶して（ステップＳ４）、ステップＳ３の手前まで戻って、今回の入賞に係る遊技が開始するまで待機する。
【０１４３】
一方、特別図柄が変動中でない場合、即ち、遊技の順番が来た場合（ステップＳ３でＮｏ）には、ステップＳ５に進んで特図当たり判定処理を行う。つまり、取得した特別図柄当否判定用乱数が特図当たりであるか否かを第１特別図柄当否判定部１１３ａが判断する。次いで、ステップＳ６に進んで、特別図柄種類決定処理を行う。具体的には、ステップＳ５での特図当たり判定処理の結果、特図当たりと判定された場合には、第１特別図柄種類決定部１２４ａが、ステップＳ２で取得した特別図柄種類決定用乱数に基づいて、その特図当たりに対する特別図柄の種類を決定する。即ち、図７を参照して、３１種類の特別図柄の中から１つの特別図柄を、このステップＳ６で決定する。
【０１４４】
このステップＳ６において特別図柄の種類が決定されることにより、今回の特図当たりが確変当たりと通常当たりの何れであるか、大当たり遊技における実質ラウンド数が何回であるか、および、大当たり遊技終了後の電サポ回数が何回であるかが決定されることになる。なお、図示しないが、本実施形態では、ステップＳ５でハズレと判定された場合であっても、ステップＳ６において、一旦、特別図柄種類決定処理が行われて特別図柄の種類に係るコマンドが決定されるが、ステップＳ５でハズレと判定されたことをもって、その決定に係る特別図柄の種類に関するコマンドは破棄されるようにプログラムが組まれている。よって、ステップＳ５でハズレの場合、演出制御処理部１２ａに出力される遊技コマンドに特別図柄の種類に係るコマンドが含まれることはない。勿論、ステップＳ５でハズレの場合には、ステップＳ６の処理をジャンプする構成としても構わない。
【０１４５】
次いで、ステップＳ７で特別図柄変動パターンコマンド決定処理を行う。この特別図柄変動パターンコマンド決定処理では、取得した特別図柄変動パターン用乱数に基づいて、第１特別図柄変動パターン決定部１３５ａは、変動パターンテーブルＡ〜Ｇの何れかを参照して変動パターンＮｏ．（変動パターンコマンド）を決定する。
【０１４６】
次いで、ステップＳ８にて、演出態様決定処理を行う。この演出態様決定処理では、演出態様決定部２１０が、演出テーブルＡ〜Ｇの何れかを参照して、遊技コマンドに対応する演出パターンを今回の遊技に用いる演出パターンに決定する。また、このとき、演出表示制御部２３０は、演出表示装置３４に表示する背景画像を、入力された遊技コマンドに基づき、背景画像テーブル２６２〜２６５の何れかを参照して決定する。
【０１４７】
次いで、ステップＳ９で、特別図柄の変動が開始され、演出表示制御部２２０が演出表示装置３４にステップＳ８で決定された演出パターンおよび背景画像を表示する。次いで、ステップＳ１０で特別図柄の変動が停止され、それと同期して、演出パターンの表示が停止される。
【０１４８】
次いで、停止した特別図柄が特図当たりの組合せで確定している場合（ステップＳ１１でＹｅｓ）は、大当たり遊技制御部１６０は、特別図柄の種類に応じた所定の開閉パターン（図１１参照）でアタッカー装置４１を開放して大当たり遊技を提供する（ステップＳ１２）。次いで、ステップＳ１３にて、遊技状態設定部１４０は、次の遊技における特別図柄および普通図柄の遊技状態を設定する。
【０１４９】
具体的には、遊技状態設定部１４０は、初期状態やＲＡＭクリア状態から最初に特図当たりに当選するまでの間は、毎遊技、特別図柄に係る遊技状態を「特図低確」に設定する
。また、特図当たりに当選し、特別図柄に対応する大当たりパターンに規定されている大当たり種別が確変当たりであった場合には、遊技状態設定部１４０は、その特図当たりに基づく大当たり遊技終了後から次に特図当たりに当選するまでの間の特別図柄に係る遊技状態を、毎遊技、「特図高確」に設定する。一方、特図当たりに当選し、特別図柄に対応する大当たりパターンに規定されている大当たり種別が通常当たりであった場合には、遊技状態設定部１４０は、その特図当たりに基づく大当たり遊技終了後から次に特図当たりに当選するまでの間の特別図柄に係る遊技状態を、毎遊技、「特図低確」に設定する。
【０１５０】
また、遊技状態設定部１４０は、初期状態やＲＡＭクリア状態から最初に特図当たりに当選するまでの間は、毎遊技、普通図柄に係る遊技状態を「普図低確」に設定する。そして、特図当たりに当選した場合には、遊技状態設定部１４０は、大当たり遊技終了後の最初の遊技から、その当選時の特別図柄に対応する大当たりパターンに規定されている時短回数に到達するまでの間、普通図柄に係る遊技状態を、毎遊技、「普図時短」に設定する。一方、所定の時短回数の遊技が行われた後は、遊技状態設定部１４０は、次に特図当たりに当選するまでの間の普通図柄に係る遊技状態を、毎遊技、「普図低確」に設定する。
【０１５１】
このステップＳ１３で、次回の遊技における遊技状態が設定されると、１回の遊技に係る処理が終了する。また、ステップＳ１１でＮｏの場合は、大当たり遊技が提供されることなくステップＳ１３に進んで、次遊技の遊技状態が設定される。なお、ステップＳ１でＮｏの場合は遊技が行われることなく終了となる。
【０１５２】
以上、説明したように、本実施形態に係るパチンコ機によれば、遊技者は、特図当たりに当選し、大当たり遊技が提供されたときに、その大当たり遊技の実質ラウンド数が何回であったという情報と、大当たり遊技後の電サポ回数が何回であったかの情報とによって、特図当たりが確変当たりと通常当たりの何れであったか、言い換えると、現在の遊技状態が特図高確の状態であるか、さらに別の言い方をすれば、現在、潜伏確変中であるかを予測することになる。そのため、本実施形態によれば、従来にはない遊技状態の予測が可能となり、趣向性が高まるといった効果を奏することとなる。しかも、今までにない遊技性を実現することができ、遊技者の興味を惹き付けることができる。
【０１５３】
なお、上記の実施の形態例では、特別図柄の種類に対して、大当たり遊技の内容を規定する大当たり種別、実質ラウンド数、および電サポ回数の全てを予め対応付けておき、特別図柄種類決定処理部１２０が特別図柄の種類を決定すれば、その特別図柄の種類から、大当たり遊技の内容が一時に決まる構成としたが、この構成の部分を変形して、大当たり種別を決定するための手段（以下、大当たり種別決定手段と言う）と、実質ラウンド数を決定するための手段（以下、大当たりラウンド数決定手段と言う）と、電サポ回数を決定するための手段（以下、時短回数決定手段と言う）と、をそれぞれ設けた構成とすることもできる。
【０１５４】
この変形例の場合、大当たり種別決定手段は、特図当たりに当選した場合に図７および図８に示す確率で、その特図当たりが確変当たりか通常当たりかを振り分けるようにし、大当たりラウンド数決定手段は、大当たり遊技における実質ラウンド数を図７および図８に示す確率で、５回、８回、１０回、および１４回の中から決定し、時短回数決定手段は、電サポ回数を、図７および図８に示す確率で、１０回、２０回、３０回、および１００００回の中から決定するようにすれば良い。このとき、時短回数決定手段は、実質ラウンド数が５回の場合には、時短回数１０回、２０回、３０回、および１００００回の何れかが選択されるものの、実質ラウンド数が８回の場合には時短回数１０回は選択されない、つまり最小時短回数は２０回となるようにし、実質ラウンド数が１０回の場合には時短回数が１０回および２０回は選択されない、つまり最小時短回数は３０回となるような時短回数テーブルを作成しておき、この時短回数テーブルを参照して電サポ回数を決定するようにすると良い。
【０１５５】
このように上記実施形態例の構成の一部を変形しても、特図当たりに当選し、大当たり遊技が提供されたときに、その大当たり遊技の実質ラウンド数が何回であったという情報と、大当たり遊技後の電サポ回数が何回であったかの情報とによって、現在、潜伏確変中であるかを予測することになるため、従来にはない遊技状態の予測が可能となり、趣向性を高めることができるうえ、遊技者の興味を惹き付けることが可能となる。
【０１５６】
なお、上記の実施形態例では、特別図柄の種類に関係なく大当たり遊技の全ラウンド遊技の回数を１４回と定め、そのうち出玉有りのラウンド遊技の回数を特別図柄の種類に応じて異なるものとすることにより、実質ラウンド数を５回、８回、１０回および１４回に設定する構成としたが、全てのラウンド遊技を出玉有りと設定し、大当たり遊技の全ラウンド遊技の回数が５回、８回、１０回および１４回となる構成としても良い。つまり、実質ラウンド数と大当たり遊技の全ラウンド数とを同じとしても良い。
【符号の説明】
【０１５７】
３  遊技盤
２１  スルーチャッカ
３１  遊技領域
３４  演出表示装置
３７ａ  第１始動入賞口（始動口）
３７ｂ  第２始動入賞口（始動口）
４１  アタッカー装置
４９  電動チューリップ（電動入賞装置）
１１０  特別図柄抽選処理部（特別図柄抽選手段）
１２０  特別図柄種類決定処理部
１４０  遊技状態設定部（遊技状態設定手段）
１６０  大当たり遊技制御部（大当たり遊技制御手段）
１７０  普通図柄抽選処理部（普通図柄抽選手段）
２２０  演出表示制御部（演出表示制御手段）
【図１】
0006027162.tif 000002
【図２】
0006027162.tif 000003
【図４】
0006027162.tif 000004
【図５】
0006027162.tif 000005
【図６】
0006027162.tif 000006
【図７】
0006027162.tif 000007
【図８】
0006027162.tif 000008
【図９】
0006027162.tif 000009
【図１０】
0006027162.tif 000010
【図１１】
0006027162.tif 000011
【図１２】
0006027162.tif 000012
【図１３】
0006027162.tif 000013
【図１４】
0006027162.tif 000014
【図１５】
0006027162.tif 000015
【図１６】
0006027162.tif 000016
【図１７】
0006027162.tif 000017
【図１８】
0006027162.tif 000018
【図１９】
0006027162.tif 000019
【図２０】
0006027162.tif 000020
【図２１】
0006027162.tif 000021
【図２２】
0006027162.tif 000022
【図３】
0006027162.tif 000023